(57)【要約】識別繊維を含む繊維を開示する。識別繊維には、繊維の間で、及び／又は識別繊維、繊維バンド、又はヤーンの長さに沿って変化する複数の別個の特徴又はタガントを含ませることができる。開示する態様はまた、繊維を製造及び特徴付ける方法にも関する。繊維の特徴付けには、別個の特徴、複数の別個の特徴の組合せ、及び別個の特徴の種々の組合せを有する繊維の数を識別し、別個の特徴をサプライチェーン情報に相関させることを含ませることができる。サプライチェーン情報を用いて、繊維、繊維バンド、又はヤーンを、製造から、中間段階を経由して、最終製品への転化、及び／又は取引先まで追跡することができる。【選択図】図５Ａ
2017524075.tif 000002
【特許請求の範囲】
【請求項１】
識別繊維を含み；
識別繊維のそれぞれは少なくとも１つの別個の特徴を示し；
少なくとも１つの別個の特徴は少なくとも１つのタガント光学特性を含み；
識別繊維は区別可能な識別繊維の１以上の群から構成され、区別可能な識別繊維のそれぞれの群は、同じ別個の特徴又は同じ複数の別個の特徴の組合せを有する識別繊維によって形成され；
区別可能な識別繊維のそれぞれの群における識別繊維の数は繊維カウントとして規定され；繊維カウントの少なくとも１つはタガント繊維カウントに対応し；
（ｉ）少なくとも１つのタガント光学特性、（ｉｉ）区別可能な識別繊維のそれぞれの群における別個の特徴、及び（ｉｉｉ）１以上のタガント繊維カウントは繊維の少なくとも１つのサプライチェーン要素を表す繊維。
【請求項２】
標準繊維を更に含む、請求項１に記載の繊維。
【請求項３】
別個の特徴が、１以上のタガント断面形状、１以上のタガント断面寸法、１以上のタガント表面マーキングを含み、区別可能な識別繊維のそれぞれの群に関するタガント繊維カウントの数は１〜１０の範囲である、請求項１又は２のいずれかに記載の繊維。
【請求項４】
タガント断面形状の数が１〜２５の範囲であり、タガント断面寸法の数が１〜２５の範囲である、請求項３に記載の繊維。
【請求項５】
タガント表面マーキングの一部が、識別繊維のモノフィラメント又は一部の上の印刷されたコードとして示される、請求項３〜４のいずれかに記載の繊維。
【請求項６】
識別繊維が参照繊維を含み、参照繊維は参照断面寸法及び参照断面形状を示し、タガント断面寸法のそれぞれと参照断面寸法との比は２０：１〜１：２０の範囲であり、参照断面寸法及びタガント断面寸法は有効径に基づいて定められる、請求項３〜５のいずれかに記載の繊維。
【請求項７】
標準繊維がセルロースアセテートを含む、請求項２〜６のいずれかに記載の繊維。
【請求項８】
識別繊維が、アクリル、モダクリル、アラミド、ナイロン、ポリエステル、ポリプロピレン、レイヨン、ポリアクリロニトリル、ポリエチレン、ＰＴＦＥ、又はセルロースアセテートを含む、請求項２〜７のいずれかに記載の繊維。
【請求項９】
識別繊維の一部が、クロモフタールレッド２０３０（CAS No. 84632-65-5）、銅フタロシアニン（CAS No. 147-14-8）、ＦＤ＆ＣイエローレーキＮｏ．５（CAS No. 12225-21-7）、アナターゼ型二酸化チタン、ルチル型二酸化チタン、及び混合相二酸化チタンからなる群から選択される化合物を含み、これによってタガント光学特性が示される、請求項１〜８のいずれかに記載の繊維。
【請求項１０】
少なくとも１つのサプライチェーン要素が、標準繊維の製造者、標準繊維の製造場所、標準繊維の製造ライン、標準繊維の製造ラン、標準繊維の製造日、標準繊維の包装、標準繊維の倉庫、標準繊維の取引先、標準繊維の納入先、繊維を含む繊維バンドの製造者、繊維バンドの製造場所、繊維バンドの製造ライン、繊維バンドの製造ラン、繊維バンドの製造日、繊維バンドの包装、繊維バンドの倉庫、繊維バンドの取引先、繊維バンドの納入先、繊維を含む物品の製造者、物品の製造場所、物品の製造ライン、物品の製造ラン、物品の製造日、物品の包装、物品の倉庫、物品の取引先、又は物品の納入先の少なくとも１つを含む、請求項２〜９のいずれかに記載の繊維。
【請求項１１】
標準繊維がセルロースアセテートを含む、請求項２〜１０のいずれかに記載の任意の繊維を含むアセテートトウバンド。
【請求項１２】
標準繊維がセルロースアセテートを含み；
（ａ）第１の繊維製造プロセスで識別繊維を製造し；
（ｂ）第２の繊維製造プロセスで標準繊維を製造し；そして
（ｃ）識別繊維と標準繊維を結合してアセテートトウバンドにする；
ことを含む、請求項２〜１０のいずれかに記載の任意の繊維を含むアセテートトウバンドの製造方法。
【請求項１３】
第１の繊維製造プロセス及び第２の繊維製造プロセスが共通の繊維製造プロセスに対応する、請求項１２に記載の方法。
【請求項１４】
区別可能な紡糸口金孔を用いて、タガント断面形状又はタガント断面寸法を示す識別繊維を製造し、区別可能な紡糸口金孔のそれぞれの群は、同じ区別可能な紡糸口金孔形態を有する紡糸口金孔によって形成され、タガント断面形状又はタガント断面寸法を示す区別可能な識別繊維のそれぞれの群は、区別可能な紡糸口金孔の対応する群を用いて製造する、請求項１２又は１３のいずれかに記載の方法。
【請求項１５】
区別可能な紡糸口金孔の全部が単一の紡糸口金内に含まれている、請求項１４に記載の方法。
【請求項１６】
クロモフタールレッド２０３０（CAS No. 84632-65-5）、銅フタロシアニン（CAS No. 147-14-8）、ＦＤ＆ＣイエローレーキＮｏ．５（CAS No. 12225-21-7）、アナターゼ型二酸化チタン、ルチル型二酸化チタン、及び混合相二酸化チタンからなる群から選択される化合物を、識別繊維の一部を製造するために用いる紡糸溶液に加えることを更に含み、これによってタガント光学特性が示される、請求項１２〜１５のいずれかに記載の方法。
【請求項１７】
（１）請求項２〜１０のいずれかに記載の任意の繊維を含む繊維試料に画像技術を適用し；
（２）区別可能な識別繊維の群を検出し；そして
（３）区別可能な識別繊維のそれぞれの数を計数する；
ことを含む、繊維試料を特徴付ける方法。
【請求項１８】
標準繊維がセルロースアセテートを含み、繊維試料は繊維を含む物品の一部を含み、物品はフィルターロッド及び紙巻きタバコフィルターからなる群から選択される、請求項１７に記載の方法。
【請求項１９】
繊維試料が繊維を含む物品の一部を含み、物品は、布帛及び他の編織製品、不織布、及び吸収材製品からなる群から選択される、請求項１７に記載の方法。
【請求項２０】
画像技術が、人間の目視検査、顕微鏡検査、電子顕微鏡検査、共焦点顕微鏡検査、ケイ光顕微鏡検査、及び光学スキャンからなる群から選択される、請求項１７〜１９のいずれかに記載の方法。
【請求項２１】
画像技術を繊維の長さに対して横方向に適用する、請求項１７〜２０のいずれかに記載の方法。
【請求項２２】
（ａ）（ｉ）タガント光学特性、（ｉｉ）区別可能な識別繊維のそれぞれの群における別個の特徴、及び（ｉｉｉ）１以上のタガント繊維カウントを、製造者に固有のタガントを含むデータベースに相関させ；そして
（ｂ）標準繊維の製造者、標準繊維の製造場所、標準繊維の製造ライン、標準繊維の製造ラン、標準繊維の製造日、標準繊維の包装、標準繊維の倉庫、標準繊維の取引先、標準繊維の納入先、標準繊維を含む繊維バンドの製造者、繊維バンドの製造場所、繊維バンドの製造ライン、繊維バンドの製造ラン、繊維バンドの製造日、繊維バンドの包装、繊維バンドの倉庫、繊維バンドの取引先、繊維バンドの納入先、繊維を含む物品の製造者、物品の製造場所、物品の製造ライン、物品の製造ラン、物品の製造日、物品の包装、物品の倉庫、物品の取引先、又は物品の納入先の少なくとも１つを含む少なくとも１つのサプライチェーン要素を求める；
ことを更に含む、請求項１７〜２１のいずれかに記載の方法。
【請求項２３】
少なくとも１つのサプライチェーン要素が、標準繊維を含む繊維バンドの製造者、及び繊維バンドの取引先を含む、請求項２２に記載の方法。
【請求項２４】
少なくとも１つのサプライチェーン要素が、標準繊維を含む繊維バンドの製造者、及び繊維バンドの納入先を含む、請求項２２に記載の方法。
【発明の詳細な説明】
【技術分野】
【０００１】
[0001]本出願は、２０１４年６月２７日出願の米国仮出願６２／０１８１８２、２０１５年１月１９日出願の米国仮出願６２／１０５０１１、及び２０１５年５月２０日出願の米国仮出願６２／１６４１３５（これらのそれぞれはその全部を参照として本明細書中に包含する）に対する３５ＵＳＣ１１９（ｅ）に基づく優先権を主張する。
【０００２】
[0002]本発明は、識別繊維(identification fibers)を含む繊維、繊維バンド、又はヤーンに関する。識別繊維は、繊維バンド又はヤーンの繊維の間で変化する複数の別個の特徴又はタガントを示すことができる。本発明はまた、繊維バンド又はヤーンを製造及び特徴付けする方法にも関する。繊維バンド又はヤーンの特徴付けには、別個の特徴、複数の別個の特徴の組合せ、及び／又は複数の別個の特徴のそれぞれの組合せを有する繊維の数を識別し、そして別個の特徴をサプライチェーン情報と相関させることを含ませることができる。サプライチェーン情報を用いて、繊維バンド又はヤーンを、製造から、中間段階を経由して、最終製品への転化、及び／又は取引先まで追跡することができる。
【背景技術】
【０００３】
[0003]多くの産業は、製品に印を付け、タグ付けをし、又は識別して、これによってサプライチェーンを通して製品を追跡及び遡及することを可能にする必要性を有する。かかる追跡及び遡及システムの主要な目的の１つは、偽造及び非合法販売のような不正取引に対抗することである。
【０００４】
[0004]偽造防止対策（ＡＣＭ）は、３つの異なるタイプ：タイプＩ（顕在的）；タイプＩＩ（潜在的）；及びタイプＩＩＩ（法科学的）；とみなすことができる。タイプＩのＡＣＭは、肉眼で容易に識別され且つ観察することができる物品中に導入される特徴である。例としては、物品中に導入される透かし模様、カラーシフトインク、着色繊維、バンド、又はストリップ、並びにホログラムが挙げられる。タイプＩＩのＡＣＭは、領域内の特徴を識別するためにある種の装置が必要である、物品中に導入される特徴である。必要な装置は、一般に容易に入手でき輸送できるものである。幾つかの例としては、非常に小さい文章（拡大鏡を用いることが必要である）、ＵＶ応答性インク又は糸（ＵＶ光を照射することが必要である）、及びバーコード又はＲＦＩＤタグ（特別な読取機が必要である）を導入することが挙げられる。タイプＩＩＩのＡＣＭは、識別するためには特別な試験装置が必要である隠された属性である。幾つかのタイプＩＩＩの例としては、ナノテキスト、マイクロタガント、ＤＮＡインク、及び化学添加剤が挙げられる。
【０００５】
[0005]上述したように、多くの産業において多くの広く用いられている包装及び標識化タガント並びに偽造防止対策（ＡＣＭ）が存在しているが、これらのより顕在的な解決手段は、しばしば、破壊、改造、複製、再包装、又は再標識化のような対抗手段の余地がある。製品の原材料の物理的特徴を変化させることによって、回避するのが遙かにより困難であるより潜在的な解決策を提供することができる。これらのタガントは、サプライチェーンを通して繊維を追跡するために用いることができる。タガントは、複写又は改ざんするのが困難であるが、画像分析及び／又は他の機械的方法を用いて検出することができる形態で繊維、ヤーン、繊維バンド、及び／又は派生物品の物理特性を変化させることができる。
【０００６】
[0006]広範囲の産業にわたって、繊維バンド又はヤーン及びそれらの派生物品内の繊維を製造、試験、及び追跡する必要性が存在する。繊維バンド、ヤーン、及び／又は繊維バンド若しくはヤーンを含む物品の供給源を識別する能力は、製造プロセス中において、その後に識別し、読み出し、及び使用して繊維バンド及び／又は物品を識別することができるある種のコードを１つ又は複数の繊維中に埋め込むことによって達成することができる。
【０００７】
[0007]サプライチェーン情報の中でも、繊維バンド、ヤーン、及び／又は物品の追跡及び遡及のために有用である可能性がある、例えば製造者、製造場所、取引先、及び納入先を示すことができる識別タグを、繊維、繊維バンド、又はヤーン中に導入することができる。
【０００８】
[0008]開示する代表的な態様は、例えばタバコ製品、特に紙巻きタバコの継続し且つ深刻さを増している不正取引の問題に対抗するために用いることができる。紙巻きタバコの全販売数の１０〜１２％は、紙巻きタバコに対する物品税の支払を回避する偽造の複製品又は販売品のいずれかの不正取引であると概算されている（Tobacco International, "Tackling Illicit Trade, Pt. I", 2013年12月）。この不正取引に対抗するためには、製造者、販売業者、監査機関、及び取引先／法執行機関、並びに紙巻きタバコを消費者に販売する小売業者から構成される全体的な努力が必要である。紙巻きタバコの製造において用いる成分を追跡及び最終的には遡及することを可能にする必要性が存在する。例えば、非合法市場の紙巻きタバコのフィルター中に含まれるアセテートトウのサプライチェーン経路の部分を追跡する能力によって、これらの不正な紙巻きタバコの供給源に関する有益な情報を与えることができる。
【先行技術文献】
【非特許文献】
【０００９】
【非特許文献１】Tobacco International, "Tackling Illicit Trade, Pt. I", 2013年12月
【発明の概要】
【発明が解決しようとする課題】
【００１０】
[0009]容易に製造され、紙巻きタバコフィルターの性能に影響を与えず、アセテートトウバンド中だけでなく、単一又は１組の紙巻きタバコ／紙巻きタバコフィルター中においても検出することができる追跡可能なアセテートトウに対する必要性が存在する。紙巻きタバコの製造者及び消費者によって容易に許容しうる追跡可能なアセテートトウ、例えば味に影響を与える可能性があり、及び／又は規制認可が必要な可能性がある化学物質を加える必要がないアセテートトウに対する必要性が存在する。紙巻きタバコフィルターの圧力損失及び収量に影響を与えない追跡可能なアセテートトウに対する必要性が存在する。開繊し、可塑化し、フィルターに成形する際にその追跡可能性を保持する、追跡可能なアセテートトウに対する必要性が存在する。
【課題を解決するための手段】
【００１１】
[0010]第１の態様においては、繊維、繊維バンド、又はヤーンは識別繊維を含む。識別繊維のそれぞれは、少なくとも１つの別個の特徴を示す。少なくとも１つの別個の特徴は、少なくとも１つのタガント光学特性を含む。識別繊維は区別可能な識別繊維の１以上の群から構成され、区別可能な識別繊維のそれぞれの群は、同じ別個の特徴又は同じ複数の別個の特徴の組合せを有する識別繊維によって形成される。区別可能な識別繊維のそれぞれの群における識別繊維の数は、繊維カウント(fiber count)として規定される。繊維カウントの少なくとも１つはタガント繊維カウントに対応する。少なくとも１つのタガント光学特性、区別可能な識別繊維のそれぞれの群における別個の特徴、並びに１以上のタガント繊維カウントは、繊維の少なくとも１つのサプライチェーン要素を表す。
【００１２】
[0011]第２の態様においては、アセテートトウバンドは繊維を含む。繊維は標準繊維(standard fibers)及び識別繊維を含み、標準繊維はセルロースアセテートを含む。識別繊維のそれぞれは少なくとも１つの別個の特徴を示す。少なくとも１つの別個の特徴は少なくとも１つのタガント光学特性を含む。識別繊維は区別可能な識別繊維の１以上の群から構成され、区別可能な識別繊維のそれぞれの群は、同じ別個の特徴又は同じ複数の別個の特徴の組合せを有する識別繊維によって形成される。区別可能な識別繊維のそれぞれの群における識別繊維の数は、繊維カウントとして規定される。繊維カウントの少なくとも１つはタガント繊維カウントに対応する。少なくとも１つのタガント光学特性、区別可能な識別繊維のそれぞれの群における別個の特徴、及び１以上のタガント繊維カウントは、アセテートトウバンドの少なくとも１つのサプライチェーン要素を表す。
【００１３】
[0012]第３の態様においては、繊維を含むアセテートトウバンドの製造方法。繊維は、識別繊維、及びセルロースアセテートを含む標準繊維を含む。この方法は、（ａ）識別繊維を入手し；（ｂ）第１の繊維製造プロセスで標準繊維を製造し；そして（ｃ）識別繊維と標準繊維を結合してアセテートトウバンドにする；ことを含む。識別繊維のそれぞれは少なくとも１つの別個の特徴を示す。少なくとも１つの別個の特徴は少なくとも１つのタガント光学特性を含む。識別繊維は区別可能な識別繊維の１以上の群から構成され、区別可能な識別繊維のそれぞれの群は、同じ別個の特徴又は同じ複数の別個の特徴の組合せを有する識別繊維によって形成される。区別可能な識別繊維のそれぞれの群における識別繊維の数は、繊維カウントとして規定される。繊維カウントの少なくとも１つは、タガント繊維カウントに対応する。少なくとも１つのタガント光学特性、区別可能な識別繊維のそれぞれの群における別個の特徴、及び１以上のタガント繊維カウントは、アセテートトウバンドの少なくとも１つのサプライチェーン要素を表す。
【００１４】
[0013]第４の態様においては、（１）繊維を含む繊維試料に画像技術を適用する；ことを含む、繊維試料を特徴づける方法。繊維は識別繊維及び標準繊維を含み、識別繊維のそれぞれは少なくとも１つの別個の特徴を示す。少なくとも１つの別個の特徴は少なくとも１つのタガント光学特性を含む。識別繊維は区別可能な識別繊維の１以上の群から構成され、区別可能な識別のそれぞれの群は、同じ別個の特徴又は同じ複数の別個の特徴の組合せを有する識別繊維によって形成される。この方法は、（２）区別可能な識別繊維の群を検出し；そして（３）区別可能な識別繊維のそれぞれの数を計数する；ことを更に含む。区別可能な識別繊維のそれぞれの群における識別繊維の数は繊維カウントとして規定される。繊維カウントの少なくとも１つはタガント繊維カウントに対応する。少なくとも１つのタガント光学特性、区別可能な識別繊維のそれぞれの群における別個の特徴、及び１以上のタガント繊維カウントは、繊維試料の少なくとも１つのサプライチェーン要素を表す。
【図面の簡単な説明】
【００１５】
【図１（ａ）】[0014]図１（ａ）は、３種類の断面形状を有するセルロースアセテート繊維を含む繊維バンドを示す。
【図１（ｂ）】図１（ｂ）は、実施例３のフィルターロッドの顕微鏡写真の合成画像を示す。
【図２】[0015]図２は、サプライチェーン情報を表すために用いることができる識別繊維の組の非限定的な例を示す。
【図３（ａ）】[0016]図３（ａ）は、異なる数のセグメントを有する多成分繊維を製造することができる多成分繊維スピンパックの非限定的な例を示す。
【図３（ｂ）】図３（ｂ）は、異なる数のセグメントを有する多成分繊維を製造することができる多成分繊維スピンパックの非限定的な例を示す。
【図４（ａ）】[0017]図４（ａ）は、多成分繊維のセグメントの間でポリマーを容易に交換することを可能にするポリマー供給システムの非限定的な例を示す。
【図４（ｂ）】図４（ｂ）は、多成分繊維のセグメントの間でポリマーを容易に交換することを可能にするポリマー供給システムの非限定的な例を示す。
【図５Ａ】[0018]図５Ａは、開示する態様と合致する１以上の機関の中の通信及び輸送ルートの非限定的な例を示す。
【図５Ｂ】図５Ｂは、開示する態様と合致する１以上の機関の中の通信及び輸送ルートの非限定的な例を示す。
【図６】[0019]図６は、開示する態様と合致する１以上の機関によって用いられる演算システムの非限定的な例を示す。
【図７】[0020]図７は、開示する態様と合致する、サプライチェーン情報を繊維中に埋め込む方法の非限定的な例を示す。
【図８】[0021]図８は、開示する態様と合致する、相関データを作成する方法の非限定的な例を示す。
【図９】図９は、開示する態様と合致する、相関データを作成する方法の非限定的な例を示す。
【図１０】[0022]図１０は、開示する態様と合致する、識別繊維の製造方法の非限定的な例を示す。
【図１１】[0023]図１１は、開示する態様と合致する、識別繊維を製造するための１以上の製造方法を選択する方法の非限定的な例を示す。
【図１２】[0024]図１２は、開示する態様と合致する、試料からサプライチェーン情報を識別する方法の非限定的な例を示す。
【図１３】[0025]図１３は、開示する態様と合致する、複数の別個の特徴の組合せ及びタガント繊維カウントのサプライチェーン要素への非割当方法の非限定的な例を示す。
【発明を実施するための形態】
【００１６】
[0026]第１の態様においては、繊維、繊維バンド、又はヤーンは識別繊維を含む。識別繊維のそれぞれは少なくとも１つの別個の特徴を示す。少なくとも１つの別個の特徴は少なくとも１つのタガント光学特性を含む。識別繊維は区別可能な識別繊維の１以上の群から構成され、区別可能な識別繊維のそれぞれの群は、同じ別個の特徴又は同じ複数の別個の特徴の組合せを有する識別繊維によって形成される。区別可能な識別繊維のそれぞれの群における識別繊維の数は繊維カウントとして規定される。繊維カウントの少なくとも１つはタガント繊維カウントに対応する。少なくとも１つのタガント光学特性、区別可能な識別繊維のそれぞれの群における別個の特徴、及び１以上のタガント繊維カウントは、繊維の少なくとも１つのサプライチェーン要素を表す。
【００１７】
[0027]他に示していない限りにおいて、本明細書及び特許請求の範囲において用いる成分の量、分子量などの特性、反応条件などを表す全ての数は、全ての場合において用語「約」によって修飾されていると理解すべきである。
【００１８】
[0028]１以上のプロセス工程の言及は、組み合わさった示されている工程の前後の更なるプロセス工程、或いは明確に特定されているこれらの工程の間に介在するプロセス工程の存在を排除するものではないことを理解すべきである。更に、プロセス工程又は構成要素の記号は別個の活動又は構成要素を特定するための簡便な手段であり、示されている記号は他に示さない限りにおいて任意の順番で配列することができる。
【００１９】
[0029]本明細書において用いる「及び／又は」という用語は、２以上の事項のリストにおいて用いる場合には、リストされた事項のいずれか１つを単独で用いることができ、或いはリストされた事項の２以上の任意の組合せを用いることができることを意味する。例えば、組成物が成分Ａ、Ｂ、及び／又はＣを含むものとして記載されている場合には、この組成物は、Ａ単独；Ｂ単独；Ｃ単独；Ａ及びＢの組合せ；Ａ及びＣの組合せ；Ｂ及びＣの組合せ；或いはＡ、Ｂ、及びＣの組合せ；を含んでいてよい。
【００２０】
[0030]本明細書において用いる「繊維」という用語は、細い可撓性の糸状の物体を指す。繊維は天然繊維又は人工であってよい。本明細書において用いる「ポリマー」という用語は、それから繊維が製造される原料物質を指す。ポリマーの非限定的な例としては、アクリル、モダクリル、アラミド、ナイロン、ポリエステル、ポリプロピレン、レイヨン、ポリアクリロニトリル、ポリエチレン、ＰＴＦＥ、及びセルロースアセテートが挙げられる。本明細書において用いる「フィラメント」という用語は単繊維を指す。本明細書において用いる「繊維バンド」という用語は、繊維が非撚合又は絡合状態のままであり、高い幅／深さ比を有する実質的に長方形の断面を形成するようにそれらの長さに沿って互いと隣接して配置されている複数の繊維を指す。繊維バンドは、しばしば繊維の有効な捲縮を可能にするように形成され、最終用途に応じてステープルに切断するか、又は連続バンドとして処理することができる。繊維バンドは、通常は、まずステープルに変化させて糸を形成する場合を除いて、布帛物品に織成又は編成されない。繊維はまた、ヤーンの形態であってもよい。本明細書において用いる「ヤーン」という用語は、それらの長さに沿って互いと隣接して配置され、しばしば繊維結合性及び性能を向上させるために一緒に撚合又は絡合されており、通常は実質的に丸い断面を形成している複数の繊維を指す。ヤーンは、最終用途に応じて、連続ストランドとして処理するか、又はより短い長さに切断することができる。
【００２１】
[0031]繊維は、識別繊維及び／又は標準繊維であってよい。本明細書において用いる「標準繊維」という用語は、物品の製造における主要な目的及び用途のために製造される繊維を指す。標準繊維は、標準繊維、標準繊維を含むヤーン、繊維バンド、及び／又は物品を識別及び追跡するために用いられる別個の特徴を含むように意図的に操作されてはいない。本明細書において用いる「識別繊維」という用語は、別個の特徴を有していて、識別繊維を用いて、標準繊維、標準繊維及び識別繊維を含むヤーン、繊維バンド、及び／又は物品を識別及び追跡することができるようになっている繊維を指す。
【００２２】
[0032]本明細書において用いる「多成分繊維」という用語は、フィラメントあたり２以上の区別可能なセグメントを含む繊維である。
[0033]本明細書において用いる「別個の特徴」という用語は、画像技術を用いて識別することができる繊維の中における相違を指す。別個の特徴の非限定的な例としては、断面形状、断面寸法、光学特性、及び表面マーキングが挙げられる。多成分繊維に関しては、別個の特徴の非限定的な例として、セグメントカウント、セグメント形状、セグメント寸法、セグメントの幾何的関係、及びセグメントポインター(segment pointers)も含まれる。本明細書において用いる「複数の別個の特徴の組合せ」という用語は、識別繊維によって示される２以上の別個の特徴を指す。
【００２３】
[0034]本明細書において用いる「区別可能な識別繊維」という用語は、同じ別個の特徴又は複数の別個の特徴の組合せを有する識別繊維を指す。本明細書において用いる「区別可能な識別繊維の群」という用語は、区別可能な識別繊維の１以上のフィラメントを指す。本明細書において用いる「参照繊維」(reference fiber)という用語は、例えば他の区別可能な識別繊維の断面寸法のような別個の特徴を較正するために用いることができる特定の区別可能な識別繊維を指す。識別繊維は区別可能な識別繊維の全ての群から構成される。
【００２４】
[0035]本明細書において用いる「繊維カウント」という用語は、繊維、ヤーン、繊維バンド、及び／又は物品中に物理的に存在する区別可能な識別繊維のそれぞれの数を指す。本明細書において用いる「タガント繊維カウント」という用語は、標準繊維、ヤーン、繊維バンド、及び／又は物品にサプライチェーン情報を埋込み及び／又はそれを測定するためのシステムにおいて１以上の機関（例えば製造者）によって規定及び使用することができる、区別可能な識別繊維のそれぞれに関する別の繊維カウントの集合を指す。
【００２５】
[0036]本明細書において用いる「断面形状」という用語は、それらの長さに対して直角に繊維を横断する面上で見た場合の繊維の外形を指す。本明細書において用いる「タガント断面形状」という用語は、標準繊維、ヤーン、及び／又は繊維バンドにサプライチェーン情報を埋込み及び／又はそれを測定するためのシステムにおいて１以上の機関（例えば製造者）によって使用される断面形状の集合を指す。参照断面形状とは、参照繊維の断面形状を指す。
【００２６】
[0037]本明細書において用いる「断面寸法」という用語は、それらの長さに対して直角に繊維を横断する面上で見た場合の繊維の定量的寸法を指す。円形の断面形状に関しては、断面寸法は断面の直径であってよい。非円形の断面形状に関しては、断面の面積を求めることができ、断面寸法を有効径として特徴付けることができる。有効径は、同じ面積を有する円形の断面の対応する直径である。非円形の断面に関しては、断面寸法はまた、断面を完全に取り囲むことができる最も小さい円の直径として定義される外接円直径によって特徴づけることもできる。本明細書において用いる「タガント断面寸法」という用語は、標準繊維、ヤーン、及び／又は繊維バンドにサプライチェーン情報を埋込み及び／又はそれを測定するためのシステムにおいて１以上の機関（例えば製造者）によって用いられる断面寸法の集合を指す。参照断面寸法とは、参照繊維の断面寸法を指す。
【００２７】
[0038]本明細書において用いる「光学特性」という用語は、繊維及び／又は多成分繊維のセグメントを特定の電磁放射線源に曝露した際に観察される電磁放射線応答を指す。この用語には、肉眼によって、及び分光測光サインを識別することができるもののような装置によって観察することができる色が含まれる。電磁放射線の非限定的な例としては、Ｘ線、紫外線、可視光、赤外線、及び所謂「Ｔ線」（テラヘルツ周波数）が挙げられる。本明細書において用いる「タガント光学特性」という用語は、繊維、繊維バンド、及び／又はヤーンのサプライチェーン情報を求めるためのシステムにおいて１以上の製造者によって用いられる既知の光学特性の集合を指す。
【００２８】
[0039]本明細書において用いる「セグメントカウント」という用語は、多成分繊維のそれぞれの中に存在するセグメントの数を指す。異なるセグメントカウントを有する多成分繊維は、区別可能な識別繊維である。本明細書において用いる「タガントセグメントカウント」という用語は、標準繊維、ヤーン、繊維バンド、及び／又は物品にサプライチェーン情報を埋込み及び／又はそれを測定するためのシステムにおいて１以上の機関（例えば製造者）によって用いることができる区別可能な多成分繊維のそれぞれに関するセグメントカウントの集合を指す。
【００２９】
[0040]本明細書において用いる「セグメント形状」という用語は、多成分繊維内のセグメントの断面形状を指す。本明細書において用いる「タガントセグメント形状」という用語は、標準繊維、ヤーン、及び／又は繊維バンドにサプライチェーン情報を埋込み及び／又はそれを測定するためのシステムにおいて１以上の機関（例えば製造者）によって用いられる断面形状の集合を指す。
【００３０】
[0041]本明細書において用いる「セグメント寸法」という用語は、多成分繊維内のセグメントの断面寸法を指す。本明細書において用いる「タガントセグメント寸法」という用語は、標準繊維、ヤーン、及び／又は繊維バンドにサプライチェーン情報を埋込み及び／又はそれを測定するためのシステムにおいて１以上の機関（例えば製造者）によって用いられる断面寸法の集合を指す。
【００３１】
[0042]本明細書において用いる「セグメントの幾何的関係」という用語は、多成分繊維の１以上のセグメントの相対的位置を指す。本明細書において用いる「タガントの幾何的関係」という用語は、繊維、繊維バンド、及び／又はヤーンのサプライチェーン情報を測定するためのシステムにおいて１以上の製造者によって用いられる幾何的関係の集合を指す。
【００３２】
[0043]本明細書において用いる「セグメントポインター」という用語は、セグメントの幾何的関係を評価するための方位を与えるために用いられる多成分繊維の物理的特徴を指す。本明細書において用いる「タガントセグメントポインター」という用語は、繊維、繊維バンド、及び／又はヤードのチェーン情報を測定するためのシステムにおいて１以上の製造者によって用いられるセグメントポインターの集合を指す。
【００３３】
[0044]本明細書において用いる「繊維の大部分」という用語は、繊維の総数を基準としてヤーン又は繊維バンド中の繊維の５０％より多くを指す。
[0045]本明細書において用いる「全識別繊維数」という用語は、ヤーン又は繊維バンド中の識別繊維のそれぞれの合計を指す。本明細書において用いる「タガント全識別繊維数」という用語は、繊維、繊維バンド、及び／又はヤーンにサプライチェーン情報を埋込み及び／又はそれを測定するためのシステムにおいて１以上の機関（例えば製造者）によって用いられる識別繊維の総数を指す。
【００３４】
[0046]本明細書において用いる「セルロースアセテート」という用語は、セルロースグルコース単位のヒドロキシル基中の水素がアセチル化反応によってアセチル基に置き換えられているセルロースのアセテートエステルを指す。幾つかの態様においては、好適なセルロースアセテートは、グルコース単位あたり約３未満、好ましくは２．２〜約２．８の範囲、最も好ましくは２．４〜２．７の範囲のアセチル基の置換度を有していてよい。
【００３５】
[0047]本明細書において用いる「セルロースアセテートトウ」、「アセテートトウ」、又は「アセテートトウバンド」という用語は、セルロースアセテート繊維を含む連続的な捲縮繊維バンドを指す。
【００３６】
[0048]本明細書において用いる「物品」という用語は、所期の用途の機能的要件を満足するために必要な他の成分及び添加剤を含む標準繊維、ヤーン、及び／又は繊維バンドから製造される構成単位を指す。非限定的な例としては、布帛及び他の編織製品、不織布、吸収材製品、フィルター、フィルターロッド、紙巻きタバコフィルター、及び液体貯蔵容器が挙げられる。本明細書において用いる「繊維、ヤーン、及び／又は繊維バンドを含む物品」という用語は、幾つかの態様においては物品を製造するために用いる際に繊維、ヤーン、及び／又は繊維バンドに有意の物理的変化が起こる可能性があるという認識を有する繊維、ヤーン、及び／又は繊維バンドを含む物品を指す。
【００３７】
[0049]本明細書において用いる「フィルター」という用語は、半透過性の繊維状材料を指す。フィルターの非限定的な例としては、フィルターロッド、及び紙巻きタバコフィルターのようなフィルターロッドから製造される部材が挙げられる。本明細書において用いる「フィルターロッド」という用語は、繊維バンド及び他の成分又は添加剤から製造され、その後に、蒸気流を濾過するためにユニット全体として用いるか或いは複数のユニットを形成する長さに切断することができる、任意の断面形状のロッド状の物品を指す。フィルターロッドは、タバコ製品を濾過するため、例えば伝統的な紙巻きタバコフィルターのため、及び／又は加熱式製品などの他のタバコ製品に関する他の用途のために用いることができる。フィルターロッドはまた、タバコ、及び例えば他の植物若しくは植物誘導体のような他の成分を含む新しい製品のために用いることもできる。フィルターロッドは、タバコが存在するか又は存在しない他の植物及び植物誘導体を濾過するために用いることができる。更に、フィルターロッドは、電子タバコのような活性成分を供給するために用いられる蒸気流を濾過するために用いることができる。
【００３８】
[0050]本明細書において用いる「紙巻きタバコフィルター」という用語は、煙流から１以上の成分を除去又は減少させる紙巻きタバコ又は他の喫煙具の構成材を指す。紙巻きタバコフィルターという用語は、紙巻きタバコ、紙巻きタバコ用パイプ、葉巻、葉巻用パイプ、パイプ、水パイプ、水キセル、電子喫煙具、手巻きタバコ、手巻き葉巻、及び巻紙の非限定的な例を含む任意の喫煙具に関するフィルターを包含するように意図される。
【００３９】
[0051]本明細書において用いる「サプライチェーン情報」という用語は、標準繊維、ヤーン、及び／又は繊維バンドの製造に関する情報、並びに標準繊維、ヤーン、及び／又は繊維バンドの製造後の流通に関する情報を指す。サプライチェーン情報には、例えば製造者、製造場所、製造ライン、製造ラン、製造日、包装、梱包、取引先、取引先納入先、倉庫、運送業者、及び／又は出荷路又は経路のような「サプライチェーン要素」が含まれる。サプライチェーン要素は、繊維、ヤーン、繊維バンド、及び／又は物品に適用することができる。
【００４０】
[0052]本明細書において用いる「製造者」という用語は、標準繊維、ヤーン、及び／又は繊維バンドを製造する機関を指す。
[0053]本明細書において用いる「製造場所」という用語は、正式な住所、大陸、国、州、県、地方、又は市などの任意のレベルの具体度によって表示される製造者の１つ又は複数の地理的場所を指す。
【００４１】
[0054]本明細書において用いる「製造ライン」という用語は、標準繊維、ヤーン、及び／又は繊維バンドを製造するために製造者によって用いられる特定のプロセス装置又は装置の組を指す。
【００４２】
[0055]本明細書において用いる「製造ラン」という用語は、製造手順、プロセス、又は条件、及び／又は製品仕様の特定の組を用いることによって製造される同様又は関連する商品の群又は組を指す。
【００４３】
[0056]本明細書において用いる「取引先」という用語は、繊維、繊維バンド、及び／又はヤーンが、中間物品又は最終製品物品に更に処理するために販売及び輸送される機関；或いは繊維、ヤーン、及び／又は繊維バンドを再販売するために購入する機関を指す。
【００４４】
[0057]本明細書において用いる「納入先」という用語は、繊維、ヤーン、及び／又は繊維バンドを届けるために、正式な住所、大陸、国、州、県、地方、又は市などの任意のレベルの具体度によって表示される取引先の地理的場所を指す。
【００４５】
[0058]本明細書において用いる「梱包」という用語は、高密度に圧縮され、包装材料によって包装、収容、及び保護されている通常は立方体形状の繊維バンドの包装単位を指す。
【００４６】
[0059]本明細書において用いる「倉庫」という用語は、繊維、ヤーン、及び／又は繊維バンドを届けるために、正式な住所、大陸、国、州、県、地方、又は市などの任意のレベルの具体度によって表示される倉庫の地理的場所を指す。
【００４７】
[0060]本明細書において用いる「相関させる」という用語は、２以上の情報の間の関係を定めることを指す。
[0061]本明細書において用いる「製造者に特異のタガント」という用語は、特定の製造者によって繊維、ヤーン、及び／又は繊維バンド中に導入される特定のタガントを指す。「製造者に特異のタガントの組」という用語は、特定の製造者に関連付けられているタガント断面形状及び／又はタガント断面寸法を指す。
【００４８】
[0062]本明細書において用いる「繊維を製造する」、「繊維の製造」、及び「繊維製造プロセス」という用語は、繊維を集合させることによって繊維を紡糸するプロセス工程を指す。
【００４９】
[0063]本明細書において用いる「識別繊維を包装する」という用語は、識別繊維を紡績機から移して、識別繊維を例えばスプール上又は梱包中に包装するプロセス工程を指す。識別繊維は、その後に、標準繊維を含む繊維、ヤーン、繊維バンド、及び／又は物品中に導入するために包装から取り出す必要がある。
【００５０】
[0064]本明細書において用いる「紡糸口金孔形態」という用語は、排他的ではないが最も完全及び一般的には、紡糸口金を通るそのライン内の任意の点における孔の断面形状及び寸法によって示すことができる紡糸口金孔の全体的な構造を指す。本明細書において用いる「区別可能な紡糸口金孔」という用語は、区別可能な紡糸口金孔形態を有する紡糸口金孔を指す。区別可能な識別繊維のそれぞれは、同じ区別可能な紡糸口金孔形態を用いて製造される。本明細書において用いる「参照紡糸口金孔」という用語は、参照繊維を製造するために用いられる紡糸口金孔を指す。
【００５１】
[0065]本明細書において用いる「多成分繊維スピンパック」という用語は、２以上のポリマー入口、ポリマー分配プレート、及びポリマー出口を含み、ポリマー出口は多成分繊維を製造するように構成されている機械システムを指す。
【００５２】
[0066]本明細書において用いる「繊維試料」という用語は、画像技術を用いて分析される任意の物理形態の繊維を含む部材を指す。繊維試料には、画像分析のために製造された繊維、ヤーン、繊維バンド、又は物品の組の一部を含ませることができる。
【００５３】
[0067]本明細書において用いる「画像技術」及び「画像分析技術」という用語は、電磁放射線の反射率、吸収率、透過率、及び放射率における差を検出及び定量するために用いられる装置及びソフトウエアを指す。画像技術は、電磁放射線レベルの検出、並びに自動の形状及び／又は寸法認識の両方を包含する。
【００５４】
[0068]本明細書において用いる「繊維をマトリクス中に導入する」という用語は、繊維、ヤーン、繊維バンド、又は物品の少なくとも一部を、通常は試験を妨害しないポリマー中に固定化することを指す。
【００５５】
[0069]繊維、繊維バンド、及び／又はヤーンは、個々の繊維を含む。それから繊維を製造する材料は、特に限定されない。繊維には、例えばアクリル、モダクリル、アラミド、ナイロン、ポリエステル、ポリプロピレン、レイヨン、又はセルロースアセテートを含めることができる。一形態においては、繊維は、セルロースアセテート、セルローストリアセテート、セルロースプロピオネート、セルロースブチレート、セルロースアセテート−プロピオネート、セルロースアセテート−ブチレート、セルロースプロピオネート−ブチレート、セルロースアセテート−フタレート、スターチアセテート、アクリロニトリル、塩化ビニル、ビニルエステル、ビニルエーテルなど、これらの任意の誘導体、これらの任意のコポリマー、及びこれらの任意の組合せを含む。一形態においては、繊維はセルロースアセテートを含む。一形態においては、繊維は、例えば綿、麻、及び／又は絹のような天然繊維を含む。
【００５６】
[0070]一形態においては、繊維、繊維バンド、又はヤーンは、標準繊維及び１以上の識別繊維を含む。繊維は、通常はポリマーから製造される。一形態においては、識別繊維の１以上は、標準繊維と同じポリマーを含む。他の形態においては、識別繊維の１以上は、標準繊維バンドと異なるポリマーを含む。
【００５７】
[0071]一形態においては、識別繊維の１以上は多成分繊維であってよい。多成分繊維は、１つの断面内に２種類以上の別個のポリマー組成物（成分）を含む。これらは、数多くの用途のための美的及び機能的要件に適合するように調整することができ、特有の光学的又は機械的特性を有する繊維を製造することができる。多成分繊維は、通常は、２又は３種類の成分及び２種類以上のセグメントを含む。ポリマー組成物は、異なるポリマーを含むものとして、異なる添加剤を含むものとして、及び／又は異なる物理特性（例えば異なる結晶化度）を有するポリマー組成物を含むものとして区別することができる。
【００５８】
[0072]多成分繊維の構造は特に限定されず、限定なしにシース／コア、「海島」、並列、及びセグメントパイを含む断面が挙げられる。セグメントは、画像技術を用いて互いから区別可能であれば十分である。
【００５９】
[0073]個々の繊維の寸法は特に限定されない。この寸法は有効径の観点で与えることができ、一形態においては繊維の有効径は例えば０．１μｍ〜１０００μｍ、１μｍ〜５００μｍ、１μｍ〜１００μｍ、１μｍ〜３０μｍ、１０μｍ〜１０００μｍ、１０μｍ〜５００μｍ、１０μｍ〜１００μｍ、１０μｍ〜３０μｍの範囲である。一形態においては、標準繊維はセルロースアセテートを含み、それに関する寸法はしばしば、長さ９０００メートルの単一のフィラメントの重量（グラム）として規定されるフィラメントあたりのデニール数（ｄｐｆ）の単位で与えられる。一形態においては、繊維の寸法は、０．５〜１０００ｄｐｆ；０．５〜５００ｄｐｆ；０．５〜１００；０．５〜５ｄｐｆ；０．５〜３０ｄｐｆ；０．５〜１０ｄｐｆ；１〜１０００ｄｐｆ；１〜５００ｄｐｆ；１〜１００；１〜５ｄｐｆ；１〜３０ｄｐｆ；１〜１０ｄｐｆ；の範囲である。一形態においては、繊維のｄｐｆは、例えば１〜３０ｄｐｆ、１〜２０ｄｐｆ、１〜１０ｄｐｆ、２〜３０ｄｐｆ、２〜２０ｄｐｆ、又は２〜１０ｄｐｆの範囲である。
【００６０】
[0074]繊維バンドを構成する繊維の数は特に限定されない。一形態においては、繊維バンド中の繊維の数は１０〜５０，０００の範囲であってよい。他の非限定的な例においては、繊維バンド中の繊維の数は、１０〜４０，０００；１０〜３０，０００；１０〜２０，０００；１０〜１０，０００；１０〜１０００；１００〜５０，０００；１００〜４０，０００；１００〜３０，０００；１００〜２０，０００；１００〜１０，０００；１００〜１０００；２００〜５０，０００；２００〜４０，０００；２００〜３０，０００；２００〜２０，０００；２００〜１０，０００；２００〜１０００；１０００〜５０，０００；１０００〜４０，０００；１０００〜３０，０００；１０００〜２０，０００；１０００〜１０，０００；５０００〜５０，０００；５０００〜４０，０００；５０００〜３０，０００；５０００〜２０，０００；５０００〜１０，０００；１０，０００〜５０，０００；１０，０００〜４０，０００；１０，０００〜３０，０００；又は１０，０００〜２０，０００；の範囲である。
【００６１】
[0075]一形態においては、繊維バンド又はヤーン中の繊維の実質的に全部が識別繊維である。この形態においては、識別繊維は異なる繊維バンド又はヤーン中の標準繊維から区別することができ（そして、標準繊維と結合して物品を製造する）、或いは識別繊維は物品を製造するための標準繊維と互換的に用いることができる。他の形態においては、１以上の識別繊維は、同じ繊維バンド又はヤーン中の繊維の大部分から区別することができる。更に他の形態においては、識別繊維の数は、それぞれ繊維の総数を基準として、繊維の０．００１〜１００％；又は繊維の０．０１〜５０％；又は繊維の０．０１〜２５％；又は繊維の０．０１〜１０％；又は繊維の０．０１〜５％；又は繊維の０．０１〜１％；の範囲である。他の形態においては、識別繊維の数は、繊維の０．０１〜１００％；又は繊維の１〜１００％；又は繊維の２５〜１００％；又は繊維の５０〜１００％；又は繊維の３０〜８０％；の範囲である。
【００６２】
[0076]識別繊維のそれぞれは少なくとも１つの別個の特徴を示す。一形態においては、別個の特徴に断面形状を含ませることができる。他の形態においては、別個の特徴に断面寸法を含ませることができる。他の形態においては、別個の特徴に断面形状及び断面寸法を含ませることができる。一形態においては、別個の特徴は、繊維、ヤーン、繊維バンド、及び／又は物品の少なくとも１つのサプライチェーン要素を表す。一形態においては、区別可能な識別繊維のそれぞれの群における別個の特徴及び繊維カウントは、繊維、ヤーン、繊維バンド、及び／又は物品の少なくとも１つのサプライチェーン要素を表す。
【００６３】
[0077]一形態においては、識別繊維は１〜５０の別個の特徴を示す。他の形態においては、別個の特徴の数は、１〜２０、１〜１５、又は１〜１０、又は１〜５、１〜３、２〜５０、２〜２０、２〜１５、２〜１０、２〜５、３〜５０、３〜２０、３〜１５、３〜１０、３〜５、４〜５０、４〜２０、４〜１５、又は４〜１０の範囲である。
【００６４】
[0078]一形態においては、別個の特徴には、断面形状、断面寸法、光学特性、セグメントカウント、セグメントの幾何的関係、及び／又はセグメントポインターを含めることができる。別個の特徴は、単独か又は任意の組み合わせで用いることができる。一形態においては、別個の特徴には、タガント断面形状、タガント断面寸法、タガント光学特性、及び／又はタガントセグメントカウント、タガントセグメントの幾何的関係、及び／又はタガントセグメントポインターを含めることができる。
【００６５】
[0079]一形態においては、繊維断面形状をタガントとして用いることができる。一形態においては、別個の特徴は１以上の断面形状を含む。断面形状を変化させて、肉眼又は画像分析技術のいずれかによって形状を識別することができるようにする。例えば、２つの形状は、いずれかの断面形状の繊維の中での変動性と比較すると大きく相違する。一形態においては、繊維バンドは１以上のタガント断面形状を有する１以上の識別繊維を含む。一形態においては、タガント断面形状の数は１〜５０の範囲である。他の形態においては、タガント断面形状の数は、１〜２０、１〜１５、又は１〜１０、又は１〜５、１〜３、２〜５０、２〜２０、２〜１５、２〜１０、２〜５、３〜５０、３〜２０、３〜１５、３〜１０、３〜５、４〜５０、４〜２０、４〜１５、又は４〜１０の範囲である。
【００６６】
[0080]一形態においては、１以上のタガント断面形状を含む別個の特徴を有する識別繊維の数は、繊維の０．０１〜１００％；又は繊維の０．０１〜５０％；例えば繊維の０．０１〜２５％；例えば繊維の０．０１〜１０％；又は繊維の０．０１〜５％；又は繊維の０．０１〜１％；の範囲である。
【００６７】
[0081]種々の繊維タイプ、材料、及びプロセスに関して多くの断面形状が商品化されている。これらの形状は、最も通常的には、繊維製造プロセスにおいて用いる押出ジェット又は紡糸口金中の孔の形状を変化させることによって調節及び形成される。アセトン「ドープ」溶液中のセルロースアセテートの場合のような乾式紡糸プロセスにおいては、種々の紡糸口金孔の形態を用いることによって、数多くの特有の繊維断面形状を得ることができる。アセトンが蒸発するにつれて断面が収縮するために、断面形状の多様性及び独自性が増大する。これらの形状の多くは十分に特有で分化されているので、これらは、拡大鏡を用いて肉眼によるか、或いは自動画像分析技術を用いることのいずれかによって、繊維バンド及び／又はアセテートトウバンドにおいて容易に識別及び／又は計数することができる。
【００６８】
[0082]幾つかの繊維用途に関しては、繊維断面形状は、繊維、ヤーン、又は繊維バンドから製造される物品の機能にとって重要ではない。これらの用途に関しては、タガント断面形状の数、及び異なるタガント断面形状を有する識別繊維の数は特に制限されない。しかしながら、他の繊維用途に関しては、繊維断面形状を用いて、繊維、ヤーン、又は繊維バンドから製造される物品に機能を与える。これらの用途に関しては、タガント断面形状の数、及び／又は異なるタガント断面形状を有する識別繊維の数はより少なくすることができる。当業者であれば、物品の特性に大きな影響を与えないでサプライチェーン情報の測定を可能にするように、タガント断面形状の数、及びタガント断面形状の別個の特徴を有する識別繊維の数を選択することができる。
【００６９】
[0083]アセテートトウを含むフィルターロッド及び／又は紙巻きタバコフィルターの用途においては、識別繊維の総数は、最終製品の性能、特にフィルター内の特定の重量の製品に関して得られる可能性がある圧力損失として規定される収量に対するタガント断面形状の影響によって制限される可能性がある。断然に、紙巻きタバコの濾過におけるアセテートトウに関して用いられている最も通常的な形状はＹ断面（等辺三角形の紡糸口金孔形態から製造される）であり、アセテートヤーンに関して用いられている最も通常的な形状は多葉形（円形又は八角形の紡糸口金孔形態から製造される）である。非Ｙ字形の繊維の数が増加するにつれて、収量に対する影響（プラス又はマイナス）によって物品の機能性が大きく影響を受ける可能性がある。この収量のシフトを補うための１つの方法は、中でも、繊維のフィラメントあたりの平均デニール数（ｄｐｆ）を調節することである。
【００７０】
[0084]断面形状の非限定的な例としては、三日月形、骨形、三角形、正方形、パックマン形、多葉形、Ｘ字形、Ｙ字形、Ｈ字形が挙げられる。種々の断面形状を製造するのに用いる紡糸口金孔形態の非限定的な例としては、三角形、円形、長方形、正方形、長円形、台形、六角形、五角形、及びＤ字形が挙げられる。他の形態においては、紡糸口金孔形態は、円形、長方形、正方形、長円形、台形、六角形、五角形、及びＤ字形からなる群から選択される。
【００７１】
[0085]開示する態様によれば、例えばタガントとして繊維断面寸法を用いることを可能にすることができる。一形態においては、別個の特徴は１以上の断面寸法を含む。断面寸法を変化させて、肉眼又は画像分析技術のいずれかによって寸法を識別することができるようにする。繊維、ヤーン、又は繊維バンドに、１以上のタガント断面寸法を有する１以上の識別繊維を与えることができる。タガント断面寸法の数は、例えば、１〜５０、１〜２５；１〜２０；１〜１０；１〜５；１〜３；２〜２０；２〜１０；２〜５；又は３〜１０；の範囲である。
【００７２】
[0086]一形態においては、タガント断面寸法を含む別個の特徴を有する識別繊維の数は、繊維の総数を基準として、繊維の０．０１〜１００％；又は繊維の０．０１〜５０％；例えば繊維の０．０１〜２５％；例えば繊維の０．０１〜１０％；又は繊維の０．０１〜５％；又は繊維の０．０１〜１％；の範囲である。
【００７３】
[0087]一形態においては、１以上の識別繊維は、標準繊維の平均断面寸法よりも大きい１以上のタガント断面寸法を有する。一形態においては、より大きなタガント断面寸法と平均断面寸法との比は、２０：１〜１．５：１、又は１０：１〜１．５：１、又は５：１〜１．５：１、又は３：１〜１．５：１、２０：１〜１．３：１、又は１０：１〜１．３：１、又は５：１〜１．３：１、又は３：１〜１．３：１、又は２０：１〜１．１：１、又は１０：１〜１．１：１、又は５：１〜１．１：１、又は３：１〜１．１：１の範囲である。一形態においては、１以上の識別繊維は、標準繊維の平均断面寸法よりも小さい断面寸法を有する。一形態においては、より小さい断面寸法と平均断面寸法との比は、１：２０〜１：１．５、又は１：１０〜１：１．５、又は１：５〜１：１．５、又は１：２〜１：１．５、又は１：２０〜１：１．３、又は１：１０〜１：１．３、又は１：５〜１：１．３、又は１：２〜１：１．３、又は１：２０〜１：１．１、又は１：１０〜１：１．１、又は１：５〜１：１．１、又は１：２〜１：１．１の範囲である。断面寸法は、有効径又は外接円直径のいずれかによって定めることができる。
【００７４】
[0088]更に他の形態においては、１以上のタガント断面寸法を１以上の識別繊維の長さに沿って変化させて、断面寸法が識別繊維の平均断面寸法の０．２５倍〜４倍；０．２５倍〜２．０倍；０．５倍〜４．０倍；又は０．５倍〜２．０倍；で変化するようにする。
【００７５】
[0089]紙巻きタバコフィルターのためのアセテートトウのようなマルチフィラメント製品中に導入することができるタガント断面寸法を有する識別繊維の数又は割合は、少数のファクターによって制限される可能性がある。第１に、この数は、最終製品の性能、特に収量に対する直径の違いの影響によって制限される可能性がある。この収量のシフトは、標準繊維のフィラメントあたりの平均デニール数（ｄｐｆ）を調節することによって補償することができる。第２に、この数は、特有の断面直径の個々の繊維を正確に計数する分析技術の能力によって決まる可能性がある。別個の特徴と製造者に特異のタガントの間の相関が１以上の断面寸法を有する識別繊維の数を含む場合には、数の区別を容易にするためにフィラメントの数又は割合において離れた間隙が望まれる可能性がある。
【００７６】
[0090]光学特性は、電磁放射線に対する基材又は構造体の効果を包含する。この効果としては、吸収、散乱、屈折、ケイ光、及び偏光が挙げられる。電磁放射線としては、可視光、紫外線、及び赤外光、並びにＸ線、マイクロ波、及びラジオ波が挙げられる。この効果は幾つかの波長に対して他の波長よりも多く影響を与えて、これによって別個の識別特性が与えられる。この効果は、種々の形態の分光法又は直接観察によって検出することができる。
【００７７】
[0091]一例は染料であり、これは、可視光スペクトルの幾つかの部分を他の部分よりも多く吸収し、それによって直接観察することができるか又は分光計によって測定することができる別個の色を与える。
【００７８】
[0092]開示する態様は、タガントとして光学特性を用いることができる。一形態においては、別個の特徴は１以上の光学特性を含む。光学特性を変化させて、肉眼か又は画像分析技術のいずれかによって光学特性を識別することができるようにする。繊維バンド又はヤーンには、１以上のタガント光学特性を有する１以上の識別繊維を与えることができる。一形態においては、タガント光学特性は、区別可能なλｍａｘ（最大発光又は吸収の波長）において光を発光又は吸収するタガント化合物によって与えられ、この場合、区別可能なλｍａｘを生成するタガント化合物の数は、１〜１０、又は１〜５、又は１〜３の範囲である。他の形態においては、タガント光学特性は区別可能なタガント色であり、この場合、タガント色の数は、１〜１０、又は１〜５、又は１〜３の範囲である。
【００７９】
[0093]識別繊維の１以上のタガント光学特性のために用いることができる化合物の幾つかの非限定的な例としては、有機染料、有機金属リン光化合物、無機ケイ光／リン光分子、無機量子ドット、及び／又は有機量子ドットが挙げられる。更なる非限定的な化合物の例としては、クロモフタールレッド２０３０（CAS No. 84632-65-5)、銅フタロシアニン（CAS No. 147-14-8）、ＦＤ＆ＣイエローレーキＮｏ．５（CAS No. 12225-21-7）、並びにアナターゼ型、ルチル型、及び／又は混合相の二酸化チタンが挙げられる。一形態においては、タガント光学特性を用いて多成分繊維中のセグメントを識別する。
【００８０】
[0094]多成分識別繊維に関しては、更なる別個の特徴として、セグメントカウント、セグメント形状、セグメント寸法、セグメントの幾何的関係、及びセグメントポインターが挙げられる。例えば、多成分繊維が多成分繊維あたり２〜２０の任意の数の島部を有する場合には、タガントセグメントカウントの数は１９であり、それぞれのタガントセグメントカウントに関して２〜２０の島部を有する。或いは、多成分繊維が多成分繊維あたり、５、１０、又は２０のいずれかの島部を有する場合には、タガントセグメントカウントの数は３であり、タガントセグメントカウントあたり５、１０、又は２０の島部を有する。多成分繊維が多成分繊維あたり５０又は１００のいずれかのセグメントを有する場合には、タガントセグメントカウントの数は２であり、５０又は１００のタガントセグメントカウントを有する。タガントセグメントカウントの数は、多成分の区別可能な識別繊維の数に直接相関する。
【００８１】
[0095]セグメントカウントの数は、部分的に、多成分の区別可能な識別繊維のそれぞれの別個のセグメントを製造及び信頼性をもって検出する能力に基づいて選択される。一形態においては、セグメントカウントの数の範囲は、２〜２５、２〜１５、２〜１０、２〜２０、２〜１５、２〜１０、２〜５、３〜２０、３〜１５、３〜１０、３〜５、４〜２０、４〜１５、又は４〜１０であってよい。一形態においては、セグメントカウントをサプライチェーン情報に相関させることができる。
【００８２】
[0096]一形態においては、識別繊維は多成分繊維を含み、タガントセグメント形態を用いて多成分識別繊維の間で識別することができる。例えば、コア／シース構造の２つのセグメントを有する第１の多成分繊維は、並列の２つのセグメントを有する第２の多成分繊維と明確に識別することができる。一形態においては、多成分の区別可能な識別繊維の数を増加させるために手段として、タガントセグメント形態を用いる。
【００８３】
[0097]一形態においては、識別繊維は多成分繊維を含み、タガントセグメントポインターを用いて多成分識別繊維の間で識別することができる。例えば、多成分繊維が海部中に５つの島部を有し、５つの島部が同心円を形成し、島部の色が、順番に赤色、黄色、橙色、青色、及び緑色である場合には、赤色と黄色の島部の間にノッチを有する第１の多成分繊維は、橙色と青色の島部の間にノッチを有する第２の多成分繊維と識別することができる。一形態においては、タガントセグメントポインターは、多成分の区別可能な識別繊維の数を増加させるための手段として用いることができる。
【００８４】
[0098]一形態においては、識別繊維のそれぞれは少なくとも１つの別個の特徴を示す。一形態においては、識別繊維は区別可能な識別繊維の１〜５０の群から構成され、区別可能な識別繊維のそれぞれの群は、同じ別個の特徴又は同じ複数の別個の特徴の組合せを有する識別繊維によって形成される。他の形態においては、区別可能な識別繊維の群の数は、１〜２５、１〜１５、１〜１０、２〜２５、２〜２０、２〜１５、３〜２４、又は３〜１５の範囲である。
【００８５】
[0099]区別可能な識別繊維の群には、同じ別個の特徴又は同じ複数の別個の特徴の組合せを有する１以上の識別繊維を含ませることができる。区別可能な識別繊維のそれぞれの群における識別繊維の数は、繊維カウントとして規定される。繊維カウントは、区別可能な識別繊維のそれぞれの群における繊維の実際の数である。繊維カウントは、タガント繊維カウントに対応する。当業者であれば、製造における変動性及び検出における変動性がなかった場合には、繊維カウントは常にその対応するタガント繊維カウントに等しいことを認識する。コードを繊維中に形成するための強固なシステムは、変動性が存在するという事実を考慮しなければならない。当業者であれば、１つより多いタガント繊維カウントを用いる場合には、２以上のタガント繊維カウントは、識別繊維の製造及び検出における通常の変動を許容し、繊維カウントがタガント繊維カウントに正確に整合する高い可能性を与えるのに十分に相違していなければならない。例えば、繊維カウントにおける通常の変動が±２０％である場合には、２０、４０、及び７０のタガント繊維カウントによって非常に高い可能性で正確な整合を与えることができる。
【００８６】
[00100]一形態においては、繊維、ヤーン、又は繊維バンドには、繊維、ヤーン、又は繊維バンド中に存在する可能性がある区別可能な識別繊維のそれぞれの群に関する繊維の数（例えば繊維カウント）に対応するタガント繊維カウントを与えることができる。区別可能な識別繊維のそれぞれの群のタガント繊維カウントは、同一又は異なっていてよい。一形態においては、タガント繊維カウントはサプライチェーン情報に相関させることができる。また、区別可能な識別繊維のそれぞれの群のタガント繊維カウントの数(the number of taggant fiber counts)は、同一又は異なっていてよい。タガント繊維カウント及びタガント繊維カウントの数は、部分的に、区別可能な識別繊維のそれぞれの群の別個の数を製造及び信頼性をもって検出する能力に基づいて選択される。タガント繊維カウントはまた、所望の識別繊維の最大数によって制限される可能性もある。一形態においては、タガント繊維カウントの数は、１〜２５、１〜１５、１〜１０、１〜５、２〜２０、２〜１５、２〜１０、３〜２０、３〜１５、３〜１０、４〜２０、４〜１５、又は４〜１０の範囲である。
【００８７】
[00101]一形態においては、区別可能な識別繊維はそれぞれ１つの別個の特徴を示し、別個の特徴のそれぞれのタイプは特有である。例えば、第１の識別繊維にタガント断面形状を与えることができ、第２の識別繊維にタガント断面寸法を与えることができ、第３の識別繊維にタガント光学特性を与えることができる。
【００８８】
[00102]他の形態においては、区別可能な識別繊維はそれぞれ１つの別個の特徴を示し、別個の特徴のそれぞれのタイプは同一である。例えば、第１の識別繊維に第１のタガント断面形状を与えることができ、第２の識別繊維に第２のタガント断面形状を与えることができ、第３の識別繊維に第３のタガント断面形状を与えることができる。
【００８９】
[00103]他の形態においては、区別可能な識別繊維はそれぞれ１つの別個の特徴を示し、別個の特徴のタイプは同一又は異なっていてよい。例えば、第１の識別繊維に第１のタガント光学特性を与えることができ、第２の識別繊維に第１のタガント断面寸法を与えることができ、第３の識別繊維に第２のタガント光学特性を与えることができ、第４の識別繊維に第１のタガント断面形状を与えることができる。
【００９０】
[00104]一形態においては、区別可能な識別繊維のそれぞれの群は、１つの別個の特徴又は同じ複数の別個の特徴の組合せを示すことができる。例えば、タガント断面形状、タガント断面寸法、及びタガント光学特性を含む３つの別個の特徴を用いる場合、区別可能な識別繊維の７つの可能な群は、次の別個の特徴：（１）タガント断面形状を有する識別繊維；（２）タガント断面寸法を有する識別繊維；（３）タガント光学特性を有する識別繊維；（４）タガント断面形状及びタガント断面寸法を有する識別繊維；（５）タガント光学特性を有するタガント断面形状を有する識別繊維；（６）タガント光学特性を有するタガント断面寸法を有する識別繊維；並びに（７）タガント光学特性を有するタガント断面寸法においてタガント断面形状を有する識別繊維；を有する。
【００９１】
[00105]タガント繊維カウントの数を変化させて異なるコードを生成させることができる。例えば、１〜２５からの任意の数の特異的な区別可能な識別繊維を、繊維、ヤーン、又は繊維バンド（例えばその群に関する繊維カウント）中に存在させることができる場合には、区別可能な識別繊維のその群に関するタガント繊維カウントの数は２５であり、１〜２５の区別可能な識別繊維がそれぞれのタガント繊維カウント中に存在する。或いは、区別可能な識別繊維の群の１０、２５、又は５０のいずれかを、繊維、ヤーン、又は繊維バンド中に存在させることができる場合には、区別可能な識別繊維のその群に関するタガント繊維カウントの数は３であり、その特異的な区別可能な識別繊維の１０、２５、又は５０が可能なタガント繊維カウントとして存在する。別個の識別繊維のそれぞれの群に関するタガント繊維カウント及びタガント繊維カウントの数は、サプライチェーン情報に相関させることができる更なる要素を与える。
【００９２】
[00106]他の形態においては、区別可能な識別繊維は参照繊維を含む。参照繊維は、通常は、他の識別繊維及び標準繊維の全部と異なる参照断面形状を有する。参照繊維はまた、参照断面寸法も有する。一形態においては、参照繊維の数は、区別可能な識別繊維のいずれの他の群の繊維カウントよりも大きい。一形態においては、参照繊維の数は、区別可能な識別繊維の他の群の全部の繊維カウントの合計よりも大きい。区別可能な識別繊維の断面寸法は、参照断面寸法と比較して特徴付けることができる。一形態においては、区別可能な識別繊維の群は、参照断面寸法よりも小さいか、同等であるか、又は大きくてよい比較断面寸法を示すことができる。他の形態においては、区別可能な識別繊維の群は、参照断面寸法よりも小さいか又は大きくてよい比較断面寸法を示すことができる。
【００９３】
[00107]一形態においては、１以上の識別繊維は、参照断面寸法よりも大きい１以上のタガント断面寸法を有する。一形態においては、より大きなタガント断面寸法と参照断面寸法との比は、２０：１〜１．５：１、又は１０：１〜１．５：１、又は５：１〜１．５：１、又は３：１〜１．５：１、２０：１〜１．３：１、又は１０：１〜１．３：１、又は５：１〜１．３：１、又は３：１〜１．３：１、又は２０：１〜１．１：１、又は１０：１〜１．１：１、又は５：１〜１．１：１、又は３：１〜１．１：１の範囲である。一形態においては、１以上の識別繊維は、参照断面寸法よりも小さい断面寸法を有する。一形態においては、より小さい断面寸法と参照断面寸法との比は、１：２０〜１：１．５、又は１：１０〜１：１．５、又は１：５〜１：１．５、又は１：２〜１：１．５、又は１：２０〜１：１．３、又は１：１０〜１：１．３、又は１：５〜１：１．３、又は１：２〜１：１．３、又は１：２０〜１：１．１、又は１：１０〜１：１．１、又は１：５〜１：１．１、又は１：２〜１：１．１の範囲である。
【００９４】
[00108]物品には、繊維、ヤーン、及び／又は繊維バンドを含ませることができる。物品は特に限定されない。繊維又は繊維バンドを含む物品の非限定的な例としては、布帛及び他の編織製品、不織布、吸収材製品、フィルター、フィルターロッド、紙巻きタバコフィルター、液体貯蔵容器、紙、及び／又は通貨が挙げられる。一形態においては、本物品はフィルターロッドを含む。他の形態においては、本物品は紙巻きタバコフィルターを含む。物品の更なる非限定的な例としては、医療用テープ、包帯、又は布のような医療品、蒸気送達のために用いる芯材、並びに包装を含む医薬製品が挙げられる。
【００９５】
[00109]一形態においては、繊維、ヤーン、繊維バンド、及び／又は物品は、測定可能なサプライチェーン情報を有する。サプライチェーン情報には、製造者、製造場所、製造ライン、製造ラン、製造日、包装、梱包、倉庫、取引先、及び／又は納入先を含めることができる。一形態においては、区別可能な識別繊維のそれぞれの群における別個の特徴及び繊維カウントは、アセテートトウバンドの少なくとも１つのサプライチェーン要素を表す。
【００９６】
[00110]一形態においては、サプライチェーン情報はサプライチェーン要素を含む。一形態においては、少なくとも１つのサプライチェーン要素は、標準繊維の製造者、標準繊維の製造場所、標準繊維の製造ライン、標準繊維の製造ラン、標準繊維の製造日、標準繊維の包装、標準繊維の倉庫、標準繊維の取引先、標準繊維の納入先、標準繊維を含むヤーン又は繊維バンドの製造者、ヤーン又は繊維バンドの製造場所、ヤーン又は繊維バンドの製造ライン、ヤーン又は繊維バンドの製造ラン、ヤーン又は繊維バンドの製造日、ヤーン又は繊維バンドの包装、ヤーン又は繊維バンドの倉庫、ヤーン又は繊維バンドの取引先、ヤーン又は繊維バンドの納入先、標準繊維を含む物品の製造者、物品の製造場所、物品の製造ライン、物品の製造ラン、物品の製造日、物品の包装、物品の倉庫、物品の取引先、又は物品の納入先を含む。
【００９７】
[00111]他の形態においては、少なくとも１つのサプライチェーン要素は、ヤーン又は繊維バンドの製造者を含む。一形態においては、サプライチェーン要素はヤーン又は繊維バンドの製造場所を含む。一形態においては、サプライチェーン要素はヤーン又は繊維バンドの製造ラインを含む。ヤーン又は繊維バンドの製造ラインは、ヤーン又は繊維バンドを製造した製造ラインである。一形態においては、サプライチェーン要素はヤーン又は繊維バンドの製造ランを含む。ヤーン又は繊維バンドの製造ランは、ヤーン又は繊維バンドを製造した製造ランである。一形態においては、サプライチェーン要素はヤーン又は繊維バンドの製造日を含む。ヤーン又は繊維バンドの製造日は、ヤーン又は繊維バンドを製造した製造日である。一形態においては、サプライチェーン要素は、ヤーンの包装又は繊維バンドの梱包を含む。一形態においては、サプライチェーン要素はヤーン又は繊維バンドの倉庫を含む。ヤーン又は繊維バンドの倉庫は、製造者がそこに繊維バンドを送ることを計画しているか又は送った倉庫である。一形態においては、サプライチェーン要素はヤーン又は繊維バンドの取引先を含む。ヤーン又は繊維バンドの取引先は、製造者がそこにヤーン又は繊維バンドを送ることを計画しているか又は送った取引先である。一形態においては、サプライチェーン要素はヤーン又は繊維バンドの納入先を含む。ヤーン又は繊維バンドの納入先は、製造者がヤーン又は繊維バンドをそこに送ることを計画しているか又は送った具体的な地理的場所である。
【００９８】
[00112]繊維、ヤーン、又は繊維バンドには、測定可能なサプライチェーン情報を含ませることができる。例えば１〜５０の別個の特徴を示す識別繊維に関して可能な区別可能な識別繊維の群の数は大きい。下記の非限定的な例は、（１）比較的小さい数の別個の特徴及び／又はその組合せに基づいて可能である多数の区別可能な識別繊維を示し；（２）それにより、区別可能な識別繊維のそれぞれの群における別個の特徴及び繊維カウントによって、繊維、ヤーン、又は繊維バンドの少なくとも１つのサプライチェーン要素を表すことができる種々のアプローチを示す；ことを意図している。
【００９９】
[00113]特に限定されないが、別個の特徴、複数の別個の特徴の組合せ、及びコード化体系(coding system)の選択は、幾つかのファクターによって影響を受ける可能性がある。これらのファクターとしては、識別繊維、識別繊維を含むヤーン及び／又は繊維バンドの製造の容易さ；繊維、ヤーン、又は繊維バンド、或いは繊維、ヤーン、又は繊維バンドを含む物品のいずれかにおける識別繊維の検出の容易さ；繊維、ヤーン、繊維バンドを含む物品の性能特性に対する識別繊維の影響；並びに追跡及び遡及対象物の計数の容易さ；が挙げられるが、これらに限定されない。
【０１００】
[00114]開示する態様はまた、別個の特徴及び／又は複数の別個の特徴の組合せを示す識別繊維、区別可能な識別繊維の１以上の群、及び対応するタガント繊維カウント、並びにタガント繊維カウントの数をサプライチェーン情報に相関させるためのコード化体系の柔軟な実施を可能にすることもできる。上記に記載の識別繊維に基づいてコード化体系をどのように容易に実施することができるかの非限定的な例を下記に記載する。
【０１０１】
[00115]非限定的な例においては、標準繊維は中間寸法の円形であり、４つの製造者に特異のタガントを用いる。即ち、第１のタガント断面寸法、第２のタガント断面寸法、第１のタガント断面形状、及び第２のタガント断面形状である。製造者に特異のタガント断面寸法は小さいものと大きいものであり、製造者に特異のタガント断面形状は正方形及び三角形である。この例においては、区別可能な識別繊維の８つの可能な群：小さい寸法の円形（タガント断面寸法の１つの例）、大きい寸法の円形、小さい寸法の正方形（タガント断面寸法とタガント断面形状の組合せの１つの例）、中間寸法の正方形（タガント断面形状の１つの例）、大きな寸法の正方形、小さい寸法の三角形、中間寸法の三角形、及び大きい寸法の三角形；を形成することができる。例えば、１つの円形、１つの正方形、及び１つの三角形の形状の識別繊維を含むコードを用いる場合には、区別可能な識別繊維の１８個の組が可能である。更にそれぞれの識別繊維に関して２つの製造に特異のタガント色の１つを存在させる場合には、区別可能な識別繊維の数は１６に増加し、組合せの数は１４４に増加する（識別繊維の寸法／形状の組合せあたり８つの光学的組合せ×識別繊維の１８個の寸法／形状の組合せ）。
【０１０２】
[00116]上記に記載した例はまた、区別可能な識別繊維のそれぞれの群の検出を容易にするためのコード化体系の選択も示す。この例のコード化体系は、それぞれのタガント断面形状の只１つを繊維バンド中において検出することを必要とする。それぞれのタガント断面形状が確認されたら、検出及び分析は、存在する全ての区別可能な識別繊維が確認されたと信頼性をもって結論づけることができる。
【０１０３】
[00117]他の例においては、上記の元々の８つの区別可能な識別繊維の１つの円形、１つの正方形、及び１つの三角形を、３つのタガント繊維カウント（例えば、１０、２０、又は３０のタガント繊維カウント）の１つの中に存在させると、可能な組の数は４８６に増加する。
【０１０４】
[00118]図２は、別個の特徴をサプライチェーン情報に相関させる他の非限定的な例を示す。この例においては、区別可能な多成分識別繊維の群をサプライチェーン情報に相関させる。別個の特徴の可能な組合せの組をより大きくすると（即ち、組合せ論の適用）、サプライチェーン情報の相関をより詳細にすることができる。図２においては、３つのタガントセグメントカウント（例えば、１つ、２つ、又は３つの島部）、及びセグメント（島部及び海部）のそれぞれに関して２つのタガント色を有する多成分繊維が示されている。この例においては、１つ又は複数の島部のそれぞれは１つのフィラメント内において同じタガント色を有し、１つ又は複数の島部のタガント色は海部のタガント色と異なっている。言い換えると、光学タガントをＡ及びＢによって示すと、それぞれのタガントセグメントカウントに関して２つの区別可能な識別繊維、即ちＡ色の１つ又は複数の島部及びＢ色の海部を有するもの、又はＢ色の１つ又複数の島部及びＡ色の海部を有するもの（即ち、Ａ／Ｂ又はＢ／Ａ）が存在する。３つのタガントセグメントカウント及び２つのタガント色に関して区別可能な識別繊維の総数は６である。図２においては、６つの区別可能な識別繊維が０及び７と名付けられている欄に示されている。図２に示すように、３つのセグメントカウントのそれぞれに関して１つの光学タガントの構成（即ちＡ／Ｂ又はＢ／Ａ）しか存在していない場合には、可能な組合せの数は８であり、これは例えば０〜７の数値コードに変換することができる。例えばもう１つのタガント色を加えて、タガント色がＡ、Ｂ、及びＣであり、上記に記載したようにそれぞれの識別繊維に関して２つのタガント色しか存在しない（即ち、与えられたフィラメント中におけるそれぞれの島部は同じタガント色であり、海部は１つの異なるタガント色を有する）ようにすると、それぞれのタガントセグメントカウントに関する区別可能な識別繊維の総数は、３つのセグメントカウントを用いる場合には合計で１８個の可能な識別繊維に関して６（即ち、Ａ／Ｂ、Ａ／Ｃ、Ｂ／Ａ、Ｂ／Ｃ、Ｃ／Ａ、又はＣ／Ｂ）である。ここでも、セグメントカウントのそれぞれに関して１つの光学タガント構成しか存在しない場合には、３つのセグメントカウントに関して、区別可能な識別繊維に関して可能な組合せの数は２１６であり、これは例えば０〜２１５の数値コードに変換することができる。例えば繊維バンドの製造者が２００の取引先を有している場合、この相関法を用いて取引先情報を繊維バンド中に容易に導入することができる。
【０１０５】
[00119]下表は、２つのタガント色及び３つのタガント色の例の両方に関して、セグメントカウントの数が増加するにつれて可能な識別繊維及びコードの数が増加することを示す。下表に示すように、比較的少ないタガントによって、大きな数の区別可能な識別繊維の可能な組合せを生成させることができる。この組合せをコードに変換することができる。下表に示されているものを超えて、４つのタガント色を用いる他は上記で議論した同じ仮定の下で、１、３、５、及び１０のセグメントカウントに関して可能な組合せの数は、それぞれ１２、１，７２８、２４８，８３２、及び６１，９１７，３６４，２２４である。
【０１０６】
【表１−１】
2017524075.tif 000003
【０１０７】
[00120]記載した例は、識別繊維の製造を簡単にするためのタガント、組合せ、及びタガントのタガント繊維カウントの選択を示す。与えられたフィラメント及び／又は複数のフィラメントの組の島部の全てに関して同じタガント色を用いる場合には、より簡単で、したがってより安価な多成分スピンパックを用いることができる。タガント色を有するコードの数を増加させることにより、単純に１以上の多成分スピンパックのセクションへの色を変化させることによって幾つかの異なるコードを導入することが可能になる。物品の性能が色によって影響を受けない場合には、これはスピンパックを取り替えてセグメント（例えば島部）の数を変化させるよりも安価である可能性がある。
【０１０８】
[00121]記載した例はまた、区別可能な識別繊維の検出を容易にするためのコード化体系の選択も示す。この例のコード化体系は、異なるセグメントカウント（例えば、１、２、及び３つの島部）のそれぞれに関して只１つのタガント色の構成しか存在させないことが必要であり、且つそれぞれのセグメントカウントを存在させることが必要である。異なるセグメントカウントのそれぞれに関してタガント色の構成が確認されたら、検出及び分析は、存在する全ての区別可能な識別繊維が確認されたと信頼性をもって結論づけることができる。
【０１０９】
[00122]別個の特徴、複数の別個の特徴の組合せ、タガント繊維カウント、及び／又はタガント繊維カウントの数をコード中に含ませるために用いる方法は、特に限定されない。当業者であれば、比較的小さい数の別個の特徴、区別可能な識別繊維の群、タガント繊維カウント、及び／又はタガント繊維カウントの数に基づいて幾つかの組及び／又はコードを生成させる多数の方法が存在することを容易に理解することができる。
【０１１０】
[00123]第２の態様においては、アセテートトウバンドは繊維を含む。この繊維は標準繊維及び識別繊維を含み、標準繊維はセルロースアセテートを含む。識別繊維のそれぞれは少なくとも１つの別個の特徴を示す。少なくとも１つの別個の特徴は、少なくとも１つのタガント光学特性を含む。識別繊維は区別可能な識別繊維の１以上の群から構成され、区別可能な識別繊維のそれぞれの群は、同じ別個の特徴又は同じ複数の別個の特徴の組合せを有する識別繊維によって形成される。区別可能な識別繊維のそれぞれの群における識別繊維の数は、繊維カウントとして規定される。繊維カウントの少なくとも１つはタガント繊維カウントに対応する。少なくとも１つのタガント光学特性、区別可能な識別繊維のそれぞれの群における別個の特徴、並びに１以上のタガント繊維カウントは、アセテートトウバンドの少なくとも１つのサプライチェーン要素を表す。
【０１１１】
[00124]第２の態様のアセテートトウバンドは、上記に開示した属性の任意の組合せを有する繊維を含むアセテートトウバンドを包含する。具体的には、識別繊維の組成、繊維の寸法及び数、繊維バンド中における別個の特徴の割合、別個の特徴、別個の特徴の数、別個の特徴の組合せ、区別可能な識別繊維の群、繊維カウント、断面形状、断面寸法、光学特性、表面マーキング、多成分繊維、セグメントカウント、セグメント形状、セグメント寸法、セグメント形態の記載、セグメントポインターの記載、識別繊維の数、繊維間の変動、サプライチェーン情報、及び非限定的なコード化／相関体系(coding/correlation systems)が第２の態様のアセテートトウバンドに適用される。
【０１１２】
[00125]第３の態様においては、繊維を含むアセテートトウバンドの製造方法。この繊維は、識別繊維、及びセルロースアセテートを含む標準繊維を含む。この方法は、（ａ）識別繊維を入手し；（ｂ）第１の繊維製造プロセスで標準繊維を製造し；そして（ｃ）識別繊維と標準繊維を結合してアセテートトウバンドにする；ことを含む。識別繊維のそれぞれは少なくとも１つの別個の特徴を示す。少なくとも１つの別個の特徴は少なくとも１つのタガント光学特性を含む。識別繊維は区別可能な識別繊維の１以上の群から構成され、区別可能な識別繊維のそれぞれの群は、同じ別個の特徴又は同じ複数の別個の特徴の組合せを有する識別繊維によって形成される。区別可能な識別繊維のそれぞれの群における識別繊維の数は、繊維カウントとして規定される。繊維カウントの少なくとも１つは、タガント繊維カウントに対応する。少なくとも１つのタガント光学特性、区別可能な識別繊維のそれぞれの群における別個の特徴、及び１以上のタガント繊維カウントは、アセテートトウバンドの少なくとも１つのサプライチェーン要素を表す。
【０１１３】
[00126]識別繊維を標準繊維と結合してヤーン又は繊維バンドにすることができる。ヤーン又は繊維バンドを製造する方法は、上記に開示した属性の任意の組合せを有する繊維、繊維を含む繊維バンド又はヤーンを製造することを包含する。具体的には、識別繊維の組成、繊維の寸法及び数、繊維バンド中における別個の特徴の割合、別個の特徴、別個の特徴の数、別個の特徴の組合せ、区別可能な識別繊維の群、繊維カウント、断面形状、断面寸法、光学特性、表面マーキング、多成分繊維、セグメントカウント、セグメント形状、セグメント寸法、セグメント形態の記載、セグメントポインターの記載、識別繊維の数、繊維間の変動、サプライチェーン情報、及び上記に適用される非限定的なコード化／相関体系が、識別繊維の製造方法に同様に等しく適用される。
【０１１４】
[00127]一形態においては、繊維製造プロセスで標準繊維の少なくとも一部を製造する。他の形態においては、標準繊維は第三者から入手する。識別繊維を得ることは、（ｉ）標準繊維の繊維製造プロセスで識別繊維の少なくとも一部を製造すること；（ｉｉ）標準繊維の繊維製造プロセスとは別個のプロセスで識別繊維の少なくとも一部を製造すること；或いは（ｉｉｉ）識別繊維の少なくとも一部を第三者から入手すること；の少なくとも１つを含む。
【０１１５】
[00128]一形態においては、識別繊維の一部を標準繊維と共に製造し、繊維バンド又はヤーンを構成する繊維の一部を紡糸して、繊維製造プロセスの直ぐに下流で結合する。当業者であれば、これは、繊維製造ラインにおける与えられた紡糸口金又は与えられた紡糸装置によって繊維の一部に与えられる別個の断面形状又は断面寸法のような別個の特徴を識別繊維の群に与えることによって行うことができることを認識するであろう。他の形態においては、別個の特徴を繊維の一部又は全部に対して製造ライン全体にわたって均一に与えることによって、別個の特徴を繊維バンド全体にわたって均一に分散させることができる。
【０１１６】
[00129]他の形態においては、識別繊維を製造して標準繊維とは別に包装し、識別繊維を標準繊維と結合して繊維バンド又はヤーンを製造する。また、標準繊維を識別繊維と結合する前に包装していてもよく、或いは識別繊維を繊維バンド又はヤーンの包装の前に標準繊維と結合することができる。
【０１１７】
[00130]繊維を製造するために用いる紡糸プロセスは特に限定されない。一形態においては、繊維は、乾式紡糸、溶液紡糸、溶融紡糸、電子紡糸、ゲル紡糸、多成分紡糸、メルトブロー、及び／又は溶液ブローを用いて製造する。他の形態においては、繊維は、乾式紡糸、溶液紡糸、溶融紡糸、電子紡糸、ゲル紡糸、及び／又は多成分紡糸を用いて製造する。更なる形態においては、繊維はセルロースアセテートを含み、乾式紡糸を用いて製造する。
【０１１８】
[00131]一形態においては、別個の特徴は、タガント断面形状及び／又はタガント断面寸法を含む。一形態においては、識別繊維の数は、識別繊維及び標準繊維の合計を基準として、繊維の０．０１〜５０％の範囲である。他の例においては、識別繊維の数は、繊維の０．０１〜２５％、０．０１〜１０％、又は０．０１〜５％の範囲である。
【０１１９】
[00132]一形態においては、別個の特徴はタガント断面形状を含む。タガント断面形状は、紡糸口金のデザイン及びプロセス条件、例えば紡糸口金孔の形態、ドラフト比、及び／又は物質移動速度を用いて製造される。繊維製造の当業者であれば、これらのファクターのそれぞれをどのように操作してタガント断面形状に影響を与えることができるかを認識する。例えば、紡糸口金孔は、円形、正方形、三角形、五角形、八角形、半円形、及び４／３円形の非限定的な例から、形状を変化させることができる。一形態においては、紡糸口金孔の形態の少なくとも一部は、三角形、円形、長方形、正方形、長円形、台形、六角形、五角形、及びＤ字形からなる群から選択される。他の形態においては、紡糸口金孔の形態の少なくとも一部は、円形、長方形、正方形、長円形、台形、六角形、五角形、及びＤ字形からなる群から選択される。
【０１２０】
[00133]ドラフト比も形状に影響を与える可能性がある。最後に、当業者であれば、繊維のポリマーからの溶媒又は他の物質の物質移動を伴う紡糸プロセスにおいては、温度及び気体流量のような物質移動速度に影響を与えるプロセス条件がタガント断面形状に影響を与える可能性があることを認識する。
【０１２１】
[00134]一形態においては、別個の特徴はタガント断面寸法を含む。タガント断面寸法は、デザイン及びプロセス条件、例えば紡糸口金孔の形態、押出流速、ドラフト比、及び／又は固形分レベルを用いて製造される。他のデザイン及びプロセス条件のそれぞれを一定に維持した場合には、当業者であれば、タガント断面寸法に対する１つのファクターの変動の影響を認識する。例えば、増加した紡糸口金孔の寸法を用いるとタガント断面寸法は増加する。増加した押出速度を用いるとタガント断面寸法は増加する。増加したドラフト比を用いるとタガント断面寸法は減少する。最後に、増加した固形分を用いるとタガント断面寸法は増加する。
【０１２２】
[00135]一形態においては、識別繊維は区別可能な識別繊維の１〜５０の群から構成され、区別可能な識別繊維のそれぞれの群は、同じ別個の特徴又は複数の別個の特徴の組合せを有する識別繊維によって形成される。区別可能な識別繊維のそれぞれの群における識別繊維の数は、繊維カウントとして規定される。区別可能な識別繊維のそれぞれの群における別個の特徴、及び繊維カウントは、アセテートトウバンドの少なくとも１つのサプライチェーン要素を表す。
【０１２３】
[00136]一形態においては、一成分識別繊維は区別可能な紡糸口金孔を用いて製造され、区別可能な紡糸口金孔のそれぞれの群は、同じ区別可能な紡糸口金孔の形態を有する紡糸口金孔によって形成される。区別可能な識別繊維のそれぞれの群は、区別可能な紡糸口金孔の対応する群を用いて製造される。特定の区別可能な紡糸口金孔の形態と、この特定の区別可能な紡糸口金孔の形態を用いて製造される特定の区別可能な識別繊維との間には１対１の関係がある。区別可能な識別繊維の対応する群を製造するのに用いる区別可能な紡糸口金孔のそれぞれの数は、区別可能な識別繊維の対応する群に関する繊維カウントに等しい。
【０１２４】
[00137]識別繊維を製造するための紡糸口金の形態は特に限定されない。一形態においては、全ての識別繊維は、単一の紡糸口金から、又は単一の紡糸装置内の複数の紡糸口金から製造される。かかる構成によって、トウバンド及び／又は物品の製造配置に応じてトウバンド又は物品の単一の領域内に識別繊維を集中させることができ、これにより識別繊維のより効率的で有効な配置及び特徴付けが可能になる。他の形態においては、識別繊維は、複数の紡糸口金から、又は複数の紡糸装置内の複数の紡糸口金から製造される。かかる構成により、より大きな識別繊維の全カウントを可能にすることができ、或いは、いずれか１つの紡糸口金から製造される識別繊維の集中度を減少させることによって識別繊維の全体的な紡糸性を向上させることができる。
【０１２５】
[00138]区別可能な識別繊維の異なる群は、別々の紡糸口金から、又は種々の組合せの幾つかの紡糸口金から製造することができる。例えば、区別可能な識別繊維のそれぞれの群は、区別可能な識別繊維の他の全ての群を製造するのに用いるものと異なる紡糸口金を用いて製造することができる。かかる構成により、区別可能な識別繊維のそれぞれの群のための紡糸口金及び／又は紡糸条件を最適化することによって、識別繊維の向上した紡糸性を可能にすることができる。他の形態においては、区別可能な識別繊維の全ての群を同じ紡糸口金から製造することができる。かかる構成により、区別可能な識別繊維の形状又は寸法における減少した変動を可能にすることができる。
【０１２６】
[00139]特定の紡糸口金上における区別可能な紡糸口金孔の形態を有する区別可能な紡糸口金孔の配置は特に限定されない。一形態においては、特定の紡糸口金孔の形態を有する全ての孔を同じ列内又は隣接する列内に配置することができ、或いは同じ同心環内又は隣接する同心環内に配置することができ、或いは紡糸口金の特定の領域内においてグループ化することができる。かかる構成により、識別繊維の紡糸性を向上させるか、或いは区別可能な識別繊維の形状又は寸法における変動を減少させて、それによって向上した特徴付けを可能にすることができる。他の形態においては、区別可能な識別繊維のそれぞれの群のための区別可能な紡糸口金孔を種々のパターンで均一に分配することができ、或いは標準紡糸口金孔と共にランダムに分配することができる。
【０１２７】
[00140]一形態においては、１以上の別個の特徴はタガント光学特性を含む。タガント光学特性は、１以上の識別繊維中に、物質、例えばケイ光化合物及び／又は染料を導入することによって生成させることができる。一形態においては、この物質を１以上の識別繊維の表面に施す。物質を１以上の識別繊維の表面に施す方法は特に限定されず、浸漬、沈下、沈降、吸収、すすぎ、洗浄、塗布、被覆、シャワー、振りかけ、噴霧（液体又は霧として）、配置、まぶし、撒散、貼付、注入、及び／又は直接計量投入が挙げられる。
【０１２８】
[00141]一形態においては、この物質を紡糸溶液に加える。次に、紡糸溶液を１以上の識別繊維に紡糸する。この物質は、製造ライン、紡糸装置、及び／又は個々の紡糸口金の上流で紡糸溶液に加えることができる。
【０１２９】
[00142]一形態においては、１以上の区別可能な識別繊維は多成分繊維を含む。多成分繊維の数、多成分繊維のそれぞれにおけるセグメントカウント、セグメントの形態的関係、及びセグメントポインターは、特定の多成分スピンパック構成を用いて製造される。一形態においては、多成分スピンパックは、多成分スピンパックを切り替えずに、識別繊維の一部の異なるセグメントに送られるポリマーを変化させることができるように構成される。これにより、多成分スピンパックの切替の作業及び費用をかけないで幾つかの可能なコードの付与を可能にすることができる。一形態においては、異なる数のセグメントを含む多成分の区別可能な識別繊維は、単一の多成分スピンパック内で製造される。一形態においては、識別繊維は島部及び海部を含み、識別繊維の一部は、第１のポリマーを含む島部及び第２のポリマーを含む海部を有して製造され、識別繊維の異なる部分は、第２のポリマーを含む島部及び第１のポリマーを含む海部を有して製造される。一形態においては、識別繊維の少なくとも一部に関して第１のポリマー又は第２のポリマーを島部から海部へ又は海部から島部へ変化させることには、多成分スピンパックへの変更は必要ない。
【０１３０】
[00143]一形態においては、開示する態様は、１〜２００、１〜１００、又は１〜５０の多成分繊維を製造することができる多成分スピンパックを提供する。一形態においては、多成分スピンパックは、種々のポリマーの間で種々のセグメントに供給するように切り替えることを可能にするマニホールドシステムに接続される。
【０１３１】
[00144]一形態においては、区別可能な識別繊維の群の数は、１〜２５、１〜１５、１〜１０、２〜２０、２〜１５、３〜２０、及び３〜１５の範囲である。
[00145]具体的な多成分繊維の組、及びポリマーを島部と海部において切り替えるための手段の非限定的な例を図３〜図４に与える。
【０１３２】
[00146]図３（ａ）は、１４個の多成分の区別可能な識別繊維を製造することができる多成分繊維スピンパック２００を示す。繊維のそれぞれは少なくとも１つの島部及び海部を含む。例えば図３（ａ）に示すように、島部は小さい円２３０を通して押出されるポリマーから製造され、海部は小さい円を取り囲む領域２４０を通して押出されるポリマーから製造される。図３（ａ）は、異なる数の島部を示すのに加えて、セクション２２０（ａ）及び２２０（ｂ）のデザインの比較において見られる異なるセグメント形態の関係を示す。
【０１３３】
[00147]図３（ｂ）、４（ａ）、及び４（ｂ）は、多成分繊維の下位集合に関して島部のポリマー及び海部のポリマーを独立して交換することができる多成分スピンパックシステムの非限定的な例を示す。多成分繊維スピンパック３００は、１８個の多成分繊維３２０を製造するための４つのセクションを含む。それぞれのセクション３１０、３１２、３１４、及び３１６は、製造されるそれぞれの多成分繊維の島部及び海部のための独立したポリマー供給口を含む。セクション３１０は、１つの島部を有する３つの多成分繊維を製造するために用いることができる。一例においては、ポリマー供給流３３０は島部を通して押出し、ポリマー供給流３４０は海部を通して押出する。セクション３１２は、２つの島部を有する３つの多成分繊維を製造するために用いることができる。一例においては、ポリマー供給流３３２は島部を通して押出し、ポリマー供給流３４２は海部を通して押出す。セクション３１４は、３つの島部を有する３つの多成分繊維を製造するために用いることができる。一例においては、ポリマー供給流３３４は島部を通して押出し、ポリマー供給流３４４は海部を通して押出す。セクション３１６は、それぞれの繊維中に４〜１２個の島部を有する９個の多成分繊維を製造するために用いることができる。一例においては、ポリマー供給流３３６は島部を通して押出し、ポリマー供給流３４６は海部を通して押出す。
【０１３４】
[00148]一形態においては、ポリマー供給流は、多成分繊維スピンパック３００の任意のセクションにおいて海部中の複数の島部の間で容易に交換することができる。図４（ａ）は、ポリマー４５０及び４６０のための流路を与えるバルブ４００を示す。第１の構成においては、ポリマー４５０は接続部４７０を通して出口４２０から排出され、ポリマー４６０は接続部４７２を通して出口４３０から排出される。図４（ａ）は、ポリマー４５０が接続部４７２を通して出口４３０から排出され、ポリマー４６０が接続部４７０を通して出口４２０から排出される第２の構成を示す。スイッチ４４０を回転させて入口／出口の構成を交代させて、ポリマー４５０の入口と出口４２０の間の流路４７０、及びポリマー４６０の入口と出口４３０の間の流路４７２を構成し；或いはポリマー４５０の入口と出口４３０の間の流路４７２、及びポリマー４６０の入口と出口４２０の間の流路４７０を構成することができる。出口４２０は島部の供給口に接続することができ、出口４３０は多成分繊維スピンパックの海部の供給口（図示していない）に接続することができる。図４（ｂ）は、バルブ４００を介するポリマー４５０及びポリマー４６０の貯留槽の多成分繊維スピンパック３００への接続を示す。スイッチ４４０は、ポリマー４５０は出口４３０を通してスピンパック３００へ流し（例えば島部（図示せず）へ供給し）、ポリマー４６０は出口４２０を通してスピンパック３００へ流す（例えば海部（図示せず）へ供給する）ことを可能にするように設定する。
【０１３５】
[00149]一形態においては、識別繊維は区別可能な識別繊維の１〜５０の群を含み、区別可能な識別繊維のそれぞれの群は、同じ別個の特徴又は複数の別個の特徴の組合せを有する識別繊維によって形成される。区別可能な識別繊維のそれぞれの群における識別繊維の数は繊維カウントとして規定される。一形態においては、区別可能な識別繊維のそれぞれは、区別可能な紡糸口金孔又は多成分繊維スピンパックを用いて製造される。区別可能な紡糸口金孔のそれぞれは、区別可能な紡糸口金孔の形態を示す。一形態においては、区別可能な識別繊維の数は、１〜２５、１〜１５、１〜１０、２〜２０、２〜１５、３〜２０、及び３〜１５の範囲である。
【０１３６】
[00150]一形態においては、区別可能な識別繊維は参照繊維を含む。参照繊維は、参照断面寸法及び参照断面形状を含む。参照繊維は、参照紡糸口金孔を含む区別可能な紡糸口金孔を用いて製造される。一形態においては、参照繊維の数は、それぞれの他の区別可能な識別繊維の数よりも大きい。一形態においては、参照繊維の数は、全ての他の区別可能な識別繊維の数よりも大きい。
【０１３７】
[00151]参照繊維は、例えば同じ断面形状の大きな寸法と小さな寸法を区別するように働かせることができる。一形態においては、区別可能な紡糸口金孔の形態を、参照紡糸口金孔の形態に対して選択する。一形態においては、参照繊維を除く区別可能な識別繊維は、有効径によって定められる断面寸法よりも小さいか、それと同等か、又はそれよりも大きいタガント断面寸法を示す。
【０１３８】
[00152]一形態においては、参照繊維の数は、全ての区別可能な識別繊維の総数がタガント全識別繊維数に等しくなるように選択される。
[00153]第４の態様においては、（１）繊維を含む繊維試料に画像技術を適用する；ことを含む、繊維試料を特徴付けする方法。この繊維は識別繊維及び標準繊維を含み、識別繊維のそれぞれは少なくとも１つの別個の特徴を示す。少なくとも１つの別個の特徴は、少なくとも１つのタガント光学特性を含む。識別繊維は区別可能な識別繊維の１以上の群から構成され、区別可能な識別繊維のそれぞれの群は、同じ別個の特徴又は同じ複数の別個の特徴の組合せを有する識別繊維によって形成される。この方法は、（２）区別可能な識別繊維の群を検出し；そして（３）区別可能な識別繊維のそれぞれの数を計数する；ことを更に含む。区別可能な識別繊維のそれぞれの群における識別繊維の数は、繊維カウントとして規定される。繊維カウントの少なくとも１つはタガント繊維カウントに対応する。少なくとも１つのタガント光学特性、区別可能な識別繊維のそれぞれの群における別個の特徴、及び１以上のタガント繊維カウントは、繊維試料の少なくとも１つのサプライチェーン要素を表す。
【０１３９】
[00154]繊維試料の試験方法は、上記に開示した属性の任意の組合せを有する繊維を含む繊維試料を試験することを含む。繊維試料には、繊維、繊維バンドの一部、ヤーンの一部、又は物品の一部を含めることができる。具体的には、上記の識別繊維の組成、繊維の寸法及び数、繊維バンドにおける別個の特徴の割合、別個の特徴、別個の特徴の数、複数の別個の特徴の組合せ、区別可能な識別繊維の群、繊維カウント、断面形状、断面寸法、光学特性、表面マーキング、多成分繊維、セグメントカウント、セグメント形状、セグメント寸法、セグメント形態の記載、セグメントポインターの記載、識別繊維の数、繊維間の変動、サプライチェーン情報、及び非限定的なコード化／相関体系が、第４の態様に同様に等しく適用される。また、繊維試料には、その特徴の任意の組合せを有する第２の態様のアセテートトウバンド、或いはそのアセテートトウバンドを含むフィルターを含めることができる。
【０１４０】
[00155]一形態においては、繊維カウントを加算してタガント全識別繊維数を計算する。
[00156]一形態においては、画像技術は可視光波長の電磁放射線を用いることを含む。他の形態においては、画像技術は不可視光波長の電磁放射線を用いることを含む。画像技術のために有用な装置は特に限定されない。非限定的な例としては、人間の目視検査、顕微鏡検査、電子顕微鏡検査、共焦点顕微鏡検査、ケイ光顕微鏡検査、及び光学スキャンが挙げられる。
【０１４１】
[00157]画像技術は、繊維の長さに対して横方向で繊維試料に適用することができる。この方向により、例えば繊維の断面形状を観察することが可能になる。画像技術はまた、繊維の長さに沿って適用することもできる。この方法により、例えば繊維上の表面マーキングのパターンを観察することが可能になる。
【０１４２】
[00158]画像技術を適用するための繊維バンド、ヤーン、及び／又は１以上の繊維の製造は特に限定されない。一形態においては、画像技術を適用する前に繊維をマトリクス中に導入する。例えば、画像技術を妨害しないポリマー中に繊維を固定化して、適当な試料寸法に切断することができる。
【０１４３】
[00159]画像技術はまた、繊維、繊維バンド、又はヤーンを含む物品に適用することもできる。
[00160]一形態においては、繊維試料を特徴付けする方法は、（ａ）区別可能な識別繊維のそれぞれの群における別個の特徴、及び１以上のタガント繊維カウントを、製造者に特異のタガントを含むデータベースに相関させ；そして（ｂ）繊維試料の少なくとも１つのサプライチェーン要素を求める；ことを更に含む。サプライチェーン要素は、標準繊維の製造者、標準繊維の製造場所、標準繊維の製造ライン、標準繊維の製造ラン、標準繊維の製造日、標準繊維の包装、標準繊維の倉庫、標準繊維の取引先、標準繊維の納入先、繊維を含むヤーン又は繊維バンドの製造者、ヤーン又は繊維バンドの製造場所、ヤーン又は繊維バンドの製造ライン、ヤーン又は繊維バンドの製造ラン、ヤーン又は繊維バンドの製造日、ヤーン又は繊維バンドの包装、ヤーン又は繊維バンドの倉庫、ヤーン又は繊維バンドの取引先、ヤーン又は繊維バンドの納入先、繊維を含む物品の製造者、物品の製造場所、物品の製造ライン、物品の製造ラン、物品の製造日、物品の包装、物品の倉庫、物品の取引先、又は物品の納入先を含む。一形態においては、相関付けは、別個の特徴及び／又は複数の別個の特徴の組合せの間で行う。他の形態においては、相関付けは、別個の特徴、複数の別個の特徴の組合せ、及び／又は区別可能な識別繊維のそれぞれの総数の間で行う。他の形態においては、相関付けは、別個の特徴、複数の別個の特徴の組合せ、区別可能な識別繊維のそれぞれの総数、及び／又はタガント全識別繊維数の間で行う。一形態においては、少なくとも１つのサプライチェーン要素は、繊維を含むヤーンの製造者、ヤーンの製造場所、ヤーンの製造ライン、ヤーンの製造ラン、ヤーンの製造日、ヤーンの包装、ヤーンの倉庫、ヤーンの取引先、ヤーンの納入先を含む。
【０１４４】
[00161]一形態においては、サプライチェーン情報はヤーン又は繊維バンドの製造者を含む。一形態においては、サプライチェーン情報はヤーン又は繊維バンドの製造場所を含む。一形態においては、サプライチェーン情報はヤーン又は繊維バンドの製造ラインを含む。ヤーン又は繊維バンドの製造ラインは、ヤーン又は繊維バンドを製造した製造ラインである。一形態においては、サプライチェーン情報はヤーン又は繊維バンドの製造ランを含む。ヤーン又は繊維バンドの製造ランは、ヤーン又は繊維バンドを製造した製造ランである。一形態においては、サプライチェーン情報はヤーン又は繊維バンドの製造日を含む。ヤーン又は繊維バンドの製造日は、ヤーン又は繊維バンドを製造した製造日である。一形態においては、サプライチェーン情報は、ヤーン又は繊維バンドの梱包を含む。一形態においては、サプライチェーン情報はヤーン又は繊維バンドの取引先を含む。ヤーン又は繊維バンドの取引先は、製造者がそこにヤーン又は繊維バンドを送ることを計画しているか又は送った取引先である。一形態においては、サプライチェーン情報はヤーン又は繊維バンドの納入先を含む。ヤーン又は繊維バンドの納入先は、製造者がヤーン又は繊維バンドをそこに送ることを計画しているか又は送った具体的な地理的場所である。
【０１４５】
[00162]ヤーン、繊維バンド、及び／又はヤーン若しくは繊維バンドを含む物品のサプライチェーン情報を求める際には、分析する繊維は、ヤーンのような未加工の形態、或いは繊維バンド（繊維の集合体）又はトウ（捲縮した繊維バンド）であってよい。更に、物品は、円筒形のフィルター（紙巻きタバコ）、プリーツ状フィルター、布帛又は不織材料のような最終形態であってよい。繊維、ヤーン、又は繊維バンドを識別する最終目的は、ヤーン、繊維バンド、及び／又は物品の試験からサプライチェーン情報の識別を可能にすることによって、物品の偽造及び／又は不正販売を阻止することである。
【０１４６】
[00163]開示する態様はまた、開示されている特徴のいずれかを有する繊維、繊維バンド、及び／又はヤーンを用いて物品を製造することも包含する。開示する態様は、開示されている特徴のいずれかを有する繊維、繊維バンド、又はヤーンを含む物品を特徴付けることを更に包含する。
【０１４７】
[00164]図５Ａ及び５Ｂは、開示する態様と合致する機関の中での通信及び輸送路を示す環境５００の非限定的な例を示す。一態様においては、図５Ａ及び５Ｂの環境５００には、１以上の製造者５１０、１以上の取引先５２０、非合法市場５４０又は他の不正取引ネットワーク、１以上の要請機関５３０、１以上の試験所５６０、及び通信ネットワーク５５０を含めることができる。（例えば図５Ａ及び５Ｂに示される）環境５００中に含まれる要素及び要素の配置は変化させることができる。而して、環境５００には、開示する態様に合致する１以上のプロセスを実行し、又はその性能を支援する他の要素を含めることができる。
【０１４８】
[00165]幾つかの形態においては、ネットワーク５５０は、環境５００の要素の複数のシステム（例えば製造システム５１２及び／又は試験所システム５６２）の間の通信手段を与えるように構成されている任意のタイプのネットワークであってよい。例えば、ネットワーク５５０は、インターネット、ローカルエリアネットワーク、近距離無線通信、及び／又は環境５００に関連する複数の要素システムの間で情報を送信及び受信することを可能にする１つ又は複数の他の好適な接続のような、通信を容易にし、情報を交換する等の任意のタイプのネットワーク（インフラを含む）であってよい。他の態様においては、環境５００の１以上の要素システムは、製造者５１０、取引先５２０、要請機関５３０、及び／又は試験所５６０の間のリンクのような１つ又は複数の専用の通信リンクを介して直接通信することができる。
【０１４９】
[00166]更に、上述したように、製造者（例えば製造者５１０）は、セルロースアセテート繊維及びセルロースアセテート繊維を含む繊維製品を工業規模で製造することができる。幾つかの態様においては、製造されるセルロースアセテート繊維及び繊維製品には、標準繊維及び識別繊維を含ませることができる。識別繊維のそれぞれは、識別繊維を標準繊維から視覚的に区別する、１以上の別個の特徴（例えば、別個の断面寸法、別個の断面形状、別個の光学特性、及び更には又は或いは別個の表面マーキング、例えば文書、デジタルコード、アナログコード、又は絵文字、及び繰り返し表面パターン）を示す。更なる形態においては、識別繊維に、同じ別個の特徴又は同じ複数の別個の特徴の組合せを示す区別可能な識別繊維の複数の群を含ませることができる。更に幾つかの形態においては、識別繊維に、フィラメントあたり２以上の区別可能なセグメントを有する多成分繊維を含ませることができる。多成分識別繊維は、例えば多成分識別繊維を標準繊維から（及び更には又は或いは単一成分の識別繊維から）更に区別する更なる別個の特徴（例えば、タガントセグメントカウント、タガントセグメントの形態的関係、及び／又はタガントセグメントポイント）を示すことができる。更なる形態においては、これらの群のそれぞれを、タガント繊維カウントに対応させることができる繊維カウントとして規定される、区別可能な識別繊維の対応する数と関連付けることができる。幾つかの形態においては、タガント繊維カウントの数を、区別可能な識別繊維のそれぞれの群と関連付けることができる。
【０１５０】
[00167]幾つかの態様においては、セルロースアセテート繊維中に識別繊維を含ませることによって、製造者５１０が、取引先５２０に輸送する前に、セルロースアセテート繊維、及びしたがってセルロースアセテート繊維を含む繊維製品にサプライチェーン情報をタグ付けすることを可能にすることができる。例として、開示する態様に合致する繊維製品として、セルロースアセテートトウ、セルロースアセテートトウの緩いバンド、セルロースアセテートトウの梱包、並びにセルロースアセテート繊維及び／又はトウを含む布帛及び他の物品を挙げることができるが、これらに限定されない。
【０１５１】
[00168]例えば、及び紙巻きタバコ製造の関連において、取引先５２０はアセテートトウの梱包を用いて種々の中間及び／又は最終段階の製品（例えば、緩いトウバンド、フィルターロッド、フィルター、及び／又は紙巻きタバコ）を製造することができ、これらの製品の細片によって、最終的に非合法市場（例えば非合法市場４４０）へのそれらの経路を発見することができる。而して、タグ付けされた識別繊維を有する非合法市場の製品の試料からサプライチェーン情報を求めることができるので、不正取引に対抗することに関心がある関係者（例えば要請機関５３０）は、非合法市場製品を入手して、非合法市場製品に関連するサプライチェーン情報を識別するために試料を分析に供することができる。
【０１５２】
[00169]而して一態様においては、図５Ａに示すように、要請機関５３０は製造者５１０に対して試料を提供することができる。製造者５１０は、幾つかの形態においては試料を分析して、試料に関連するサプライチェーンの少なくとも１つの要素を識別することができる。例えば、試料には標準及び識別繊維を含ませることができ、及び幾つかの場合においては、製造者５１０は上記に概説した任意の代表的な技術を用いて試料を分析することができる。
【０１５３】
[00170]分析に基づいて、製造者５１０は対応する別個の特徴又は複数の別個の特徴の組合せを示す区別可能な識別繊維の群を識別することができる。上述したように、別個の特徴としては、断面寸法及び／又は断面形状が含まれるが、これらに限定されない。製造者５１０はまた、繊維カウント、即ち区別可能な識別繊維の群のそれぞれの中における識別繊維の数を識別することもできる。製造者５１０はまた、幾つかの場合においては区別可能な識別繊維のそれぞれの群に関して使用可能である別のタガント繊維カウントの数を表す区別可能な識別繊維の示された群に関するタガント繊維カウントの数を確定することもできる。
【０１５４】
[00171]幾つかの形態においては、製造者５１０は、サプライチェーンの要素を、示される別個の特徴、複数の別個の特徴の組合せ、及び／又は確定されるタガント繊維カウントにマッピングする相関データにアクセスすることができる。製造者５１０は、例えば示された別個の特徴、複数の別個の特徴の組合せ、及び／又は確定されたタガント繊維カウントとアクセスした相関データとの比較に基づいて、サプライチェーンの少なくとも１つの要素を識別することができる。幾つかの場合においては、製造者５１０は、この少なくとも１つのサプライチェーン要素を識別する情報を要請機関５３０に（例えばネットワーク５５０を介して）送信することができる。
【０１５５】
[00172]更なる態様においては、アクセスする相関データは、サプライチェーン要素を、示される別個の特徴、複数の別個の特徴の組合せ、タガント繊維カウントだけでなく、区別可能な識別繊維のそれぞれの群に関するタガント繊維カウントの数にもマッピングすることができる。而して幾つかの形態においては、製造者５１０はまた、これらの群のそれぞれの中に含まれる区別可能な識別繊維の数を確定（即ち計数）して、対応するタガント繊維カウントを求めることもでき、並びに例えば示された別個の特徴、複数の別個の特徴の組合せ、確定されたタガント繊維カウント、及び／又はタガント繊維カウントの数のアクセスした相関データとの比較に基づいて、サプライチェーンの少なくとも１つの要素を識別することができる。
【０１５６】
[00173]他の態様においては、上記に記載したように、区別可能な識別繊維に、フィラメントあたり２以上の区別可能なセグメントを有する１以上の多成分繊維を含ませることができる。区別可能なセグメントは別個のポリマー組成に対応させることができ、これは上記に記載の任意の代表的な分析技術を用いてフィラメント断面内で識別することができる。幾つかの形態においては、製造者（例えば製造者５１０）は、別個のポリマー組成の１以上を調整して、数多くの用途に関する美的及び機能的要件に合致させ、及び更には１以上のサプライチェーンの要素を識別する特有の光学又は物理特性を有する繊維を製造することができる。例えば、区別可能なセグメントは、別個のポリマー化合物、別個の添加剤を有するポリマー化合物、及び／又は別個の物理特性（例えば別個の結晶化度）を有するポリマー化合物を表すことができる。
【０１５７】
[00174]更に幾つかの形態においては、開示する態様に合致する多成分繊維に、フィラメント断面内の種々の位置に配置され、多成分繊維の種々の物理的特徴に関連して配向されている種々の数（例えば、２つ、３つ、４つ等）の区別可能なセグメントを含ませることができる。幾つかの場合においては、上記に記載したように、区別可能なセグメントは、フィラメント断面内に、シース／コア配向、「海島」配向、並列配向、及び／又はセグメントパイ配向で配置することができる。しかしながら、開示する態様はこれらの代表的な配向に限定されず、更なる態様においては、区別可能なセグメントは、多成分繊維に適しており、上記で概説した任意の分析及び／又は画像技術を用いて識別することができる任意の更なる又は別の配向でフィラメント断面内に配置することができる。
【０１５８】
[00175]幾つかの形態においては、区別可能な多成分識別繊維の群は、断面寸法、断面形状、光学特性、及び／又は表面マーキングなど（しかしながらこれらに限定されない）の上記で概説した複数の代表的な別個の特徴の組合せを示すことができる。しかしながら他の形態においては、区別可能な多成分識別繊維は、これらの多成分識別繊維を標準繊維（及び更には又は或いは、単一成分の識別繊維）から更に区別する更なる別個の特徴を示すか、又はこれと関連付けることができる。
【０１５９】
[00176]例えば、区別可能な多成分識別繊維を特徴付ける別個の特徴に、区別可能なセグメントの数の対応するものを含む多成分繊維の群の数を識別するタガントセグメントカウントを含めることができる。更なる場合においては、別個の特徴に、区別可能な多成分識別繊維のそれぞれに関して、フィラメント断面内の対応する区別可能なセグメントの相対位置及び配向を示すタガントセグメントの形態的関係を含めることができる。更に、他の場合においては、別個の特徴に、区別可能な多成分識別繊維のそれぞれに関して、フィラメント断面内の対応する区別可能なセグメントの相対配置を定める少なくとも１つの物理的特徴を識別するタガントセグメントポインターを含めることができる。
【０１６０】
[00177]一態様においては、上記で概説した代表的な分析技術のいずれかを用いて、製造者５１０は、（例えば要請機関５３０によって提供される）区別可能な多成分識別繊維を含む繊維製品の試料を分析することができる。この分析に基づいて、製造者５１０は、断面寸法、断面形状、光学特性、及び／又は表面マーキングのような１以上の別個の特徴、及び更には又は或いは複数の別個の特徴の１以上の組合せを示す区別可能な多成分識別繊維の群を識別することができる。更に、この分析に基づいて、製造者５１０は、区別可能な多成分識別繊維を特徴付けるタガントセグメントカウント、タガントセグメントの形態的関係、及び／又はタガントセグメントポインターも確定することができる。
【０１６１】
[00178]例えば上記に記載したように、製造者５１０は、試料を、人間の目視検査、顕微鏡検査、電子顕微鏡検査、共焦点顕微鏡検査、ケイ光顕微鏡検査、及び光学スキャンなど（しかしながらこれらに限定されない）の１以上の画像技術にかけることができる。幾つかの形態においては、製造者５１０は、１以上の画像技術を、繊維試料の繊維の少なくとも１つの長さに対して横方向で、及び更には又は或いは繊維試料の繊維の少なくとも１つの長さに沿って、繊維試料に適用することができる。更に、幾つかの形態においては、１以上の画像技術を繊維試料に適用する前に、繊維試料の少なくとも一部を固体マトリクス中に導入することができる。例えば、製造者５１０は、試料の繊維（例えば、区別可能な多成分及び／又は単一成分繊維）を、１以上の画像技術を妨げないポリマー中に固定化することができ、ポリマー及び固定化した繊維を分析のために適当な試料寸法に切断することができる。
【０１６２】
[00179]更なる態様においては、製造者５１０は、サプライチェーンの要素を、タガントセグメントカウント、タガントセグメントの形態的関係、及び／又はタガントセグメントポインターの組合せに、単独か、又は他の別個の特徴（例えば、断面寸法、断面形状、光学特性、表面マーキング等）、タガント繊維カウント、及び／又はタガント繊維カウントの数と組み合わせてマッピングする相関データにアクセスすることができる。製造者５１０は、例えばタガントセグメントカウント、タガントセグメントの形態的関係、タガントセグメントポインター、他の別個の特徴、タガント繊維カウント、及び／又はタガント繊維カウントの数の組合せの比較に基づいて、サプライチェーンの少なくとも１つの要素を識別することができる。幾つかの場合においては、上記に記載したように、製造者５１０は、この少なくとも１つのサプライチェーン要素を識別する情報を要請機関５３０に（例えばネットワーク５５０を介して）送信することができる。
【０１６３】
[00180]更に、上述したように、区別可能な識別繊維に、対応する参照断面形状及び対応する参照断面寸法を有する参照繊維を含ませることができる。参照断面は、例えば参照繊維の少なくとも一部の平均有効径を表すことができ、及び幾つかの形態においては、参照断面寸法は、試料中の他の区別可能な識別繊維のそれぞれの断面寸法を超えるか、又は或いはこれよりも小さくすることができる。而して一態様においては、製造者５１０は、（例えば上記に記載した任意の代表的な技術を用いて）区別可能な識別繊維の第１の群の断面寸法が区別可能な識別繊維の他の群のそれぞれの断面寸法よりも大きいか又は小さいかを求めることができ、そして区別可能な識別繊維の第１の群を参照繊維と定めることができる。
【０１６４】
[00181]更なる形態においては、試料内の参照繊維の数は、区別可能な識別繊維の他の群における区別可能な識別繊維の数を超過させることができる。而して一態様においては、製造者５１０は、区別可能な識別繊維の群のそれぞれの中に含まれる識別繊維の数を計数し、区別可能な識別繊維の第１の群の中に含まれる区別可能な識別繊維の数が区別可能な識別繊維の１以上の他の群における区別可能な識別繊維の数を超えることを求めて、この決定に基づいて区別可能な識別繊維の第１の群を参照繊維と定めることができる。例えば、試料中の参照繊維の数は、区別可能な識別繊維のそれぞれの他の群における区別可能な識別繊維の数の合計を超過させることができ、更には又は或いは、参照繊維の数は、区別可能な識別繊維の他の群の対応する１つの中に含まれる区別可能な識別繊維の数の最大値を超過させることができる。
【０１６５】
[00182]更に、開示する態様に合致する相関データは、サプライチェーン要素を、示される別個の特徴（例えば、断面寸法及び／又は形状、光学特性、表面マーキング、タガントセグメントカウント、タガントセグメントの形態的関係、及び／又はタガントセグメントポインター）、複数の別個の特徴の組合せ、確定されるタガント繊維カウント、及び／又はタガント繊維カウントの数だけでなく、試料内で計数される参照繊維の数にもマッピングすることができる。而して幾つかの形態においては、製造者５１０は、例えば示された別個の特徴及び複数の別個の特徴の組合せ、確定されたタガント繊維カウント、タガント繊維カウントの数、及び／又は試料内で計数された参照繊維の数のアクセスした相関データとの比較に基づいて、サプライチェーンの少なくとも１つの要素を識別することができる。
【０１６６】
[00183]上記に記載した代表的な態様においては、製造者５１０は、試料を分析して試料に関連するサプライチェーンの少なくとも１つの要素を識別することができる。しかしながら、開示する態様は製造者５１０によって行われる代表的な分析に限定されず、更なる態様においては、取引先５２０、要請機関５３０、又は第三者（示していない）が、タグ付けされた繊維からサプライチェーン情報を識別するために分析を行うことができる。
【０１６７】
[00184]例えば、図５Ｂに示すように、試験所５６０は要請機関５３０を代理して、試料に対する分析を行って、試料に関連する少なくとも１つのサプライチェーン要素を識別することができる。幾つかの場合においては、試験所５６０は、分析を行うことができる政府機関、準政府機関、又は民間機関を表すことができ、要請機関５３０は、試験所５６０に、分析を１回又は繰り返し行うことを契約又は留保させることができる。
【０１６８】
[00185]しかしながら他の場合においては、試験所５６０は、（例えば要請機関５３０によって非合法市場５４０から入手された）セルロースアセテート繊維を含む不正取引されたセルロースアセテート繊維又は繊維製品から採取した試料に関連するサプライチェーン要素を正規に且つ信頼性をもって識別するために、製造者５１０、取引先５２０、及び／又は要請機関５３０の１以上によって設立することができる。試験所５６０は、幾つかの形態においては、製造者５１０、取引先５２０、及び／又は要請機関５３０によって制定された１以上の手順にしたがって試料の分析を行うことができる。例えば、製造者５１０、取引先５２０、及び／又は要請機関５３０の１以上は、試料を受取り且つ取扱い、試料を分析して正確で再現可能な方法でサプライチェーン要素を識別し、及び識別されたサプライチェーン要素の複数の部分を、製造者５１０、取引先５２０、及び／又は要請機関５３０に報告するための標準化された手順及びプロトコルを共同で制定することができる。更に、更なる態様においては、試験所５６０はまた、別個の特徴（例えば、断面寸法及び／又は形状、光学特性、表面マーキング、タガントセグメントカウント、タガントセグメントの形態的関係、及び／又はタガントセグメントポインター）、複数の別個の特徴の組合せ、タガント繊維カウント、及び／又はタガント繊維カウントの数を、サプライチェーンの種々の要素（例えば製造者）に割り当てて、これらのサプライチェーン要素を一意的に識別することもできる。更なる態様においては、取引先５２０、要請機関５３０、又は第三者（示していない）は、この別個の特徴、複数の別個の特徴の組合せ、タガント繊維カウント、及び／又はタガント繊維カウントの数を、サプライチェーンの種々の要素（例えば製造者）に割り当てて、これらのサプライチェーン要素を一意的に識別することができる。
【０１６９】
[00186]一態様においては、図５Ｂに示すように、要請機関５３０は試料を試験所５６０に提供することができる。試験所５６０は、幾つかの形態においては、試料を分析して試料に関連するサプライチェーンの少なくとも１つの要素（例えば製造者）を識別することができる。例えば、試験所５６０は、上記に記載した任意の代表的な技術を用いて試料を分析して、同じ別個の特徴、及び／又は同じ複数の別個の特徴の組合せを示す区別可能な識別繊維の群のそれぞれを識別し、これらの群のそれぞれの中に含まれる区別可能な識別繊維の数を計数し（区別可能な識別繊維のそれぞれの群に関するタガント繊維カウントを確定し）、そして更に又は或いは試料中の参照繊維の数を識別及び計数することができる。更に、試験所５６０は相関データにアクセスして、上記に記載した任意の代表的な技術を用いて、示された別個の特徴、複数の別個の特徴の組合せ、確定されたタガント繊維カウント、タガント繊維カウントの数、及び／又は試料内に含まれる参照繊維の数のアクセスした相関データとの比較に基づいて少なくとも１つのサプライチェーン要素を識別することができる。
【０１７０】
[00187]更なる態様においては、試験所５６０は、特有の別個の特徴、複数の別個の特徴の組合せ（例えば区別可能な識別繊維の群によって示される）、タガント繊維カウント（例えば区別可能な識別繊維のそれぞれの群における繊維の数を表す）、及び／又はタガント繊維カウントの数（例えば別の繊維のカウント数を表す）を、サプライチェーンの種々の要素（例えば製造者５１０）に割り当てる中央機関として機能することができる。例えば、試験所５６０は、特定のタガント繊維カウント（例えば１０のタガント繊維カウント）、及び／又は断面寸法と形状の特定の組合せ（例えば、大きいＹ字形の識別繊維と小さいＹ字形の識別繊維、並びに大きいＤ字形の識別繊維と小さいＤ字形の識別繊維）を製造者５１０に割り当てることができる。
【０１７１】
[00188]製造者５１０によって製造されたセルロースアセテート繊維及び対応する繊維製品内に含まれる識別繊維によって示される場合には、割り当てられた断面寸法と断面形状の組み合わせ、及び／又はタガント繊維カウントは、製造者５１０を一意的に表すことができ、これにより、試験所５６０（及び更には又は或いは環境５００内の任意の他の機関）が上記に記載した任意の分析技術を用いて製造者５１０を繊維製品の供給源として識別することを可能にすることができる。更に、試験所５６０（及び更には又は或いは環境５００内の任意の他の機関）は、種々のサプライチェーン要素（例えば製造者５１０）と、割り当てられた別個の特徴、複数の別個の特徴の組合せ、タガント繊維カウント、及び／又はタガント繊維カウントの数の対応するものとの間の相関を識別するデータ記録を作成して、（例えば下記に概説する代表的な演算システムを用いて実行される中央データベース内に）保持することもできる。
【０１７２】
[00189]しかしながら、開示する態様は、代表的なタガント繊維カウント、断面寸法、及び断面形状を製造者５１０に割り当てることに限定されない。更なる態様においては、試験所５６０は、別個の特徴の任意の更なる又は別の組或いは複数の組の組合せを割り当てて製造者５１０を一意的に識別することができる。例えば、試験所５６０は、１以上の断面寸法及び／又は１以上の断面形状を製造者５１０に割り当てることができる。他の場合においては、試験所５６０は、１以上の光学特性、及び更には又は或いは１以上の表面マーキングを割り当てて、単独か又は割り当てられた断面寸法及び／又は形状と組み合わせて製造者５１０を表すことができる。更には、例として、試験所５６０はまた、１以上のタガントセグメントカウント、タガントセグメントの形態的関係、及び／又はタガントセグメントポインターを製造者５１０に割り当てることもできる。
【０１７３】
[00190]幾つかの形態においては、試験所５６０は、種々のサプライチェーン要素（例えば製造者５１０）を、タガント繊維カウント、別個の特徴（例えば、断面寸法及び／又は形状、光学特性、表面マーキング、タガントセグメントカウント、タガントセグメントの形態的関係、及び／又はタガントセグメントポインター）、複数の別個の特徴の組合せ、及び／又はタガント繊維カウントの数の対応するものに相関させるデータ及びデータ記録に関する中央レポジトリーを（例えば下記に概説する任意の代表的な演算システムを用いて）作成することができる。更に、他の形態においては、試験所５６０は、この中央レポジトリーにアクセスして、サプライチェーン要素の少なくとも１つ（例えば製造者）を一意的に識別するタガント繊維カウント、別個の特徴、複数の別個の特徴の組合せ、及び／又はタガント繊維カウントの数を特定する１以上のレポートを作成することができる。試験所５６０は、幾つかの場合においては、所定の間隔で、又は（例えば要請機関５３０、製造者５１０等から）受け取った要請に応答してレポートを作成することができ、作成したレポートを環境５００内の種々の関係者及び機関に（例えばネットワーク５５０を介して）提供することができる。
【０１７４】
[00191]幾つかの態様においては、試験所５６０は、中央レポジトリーにアクセスして、（例えば上記に概説した任意の分析技術を用いて）試験所５６０によって求められたか、及び更には又は或いは環境５００内の任意の第三者又は他の機関から得た別個の特徴、複数の別個の特徴の組合せ、タガント繊維カウント、及び／又はタガント繊維カウントの数に関連付けられた少なくとも１つのサプライチェーン要素（例えば製造者５１０）を識別することができる。更に、下記に記載するように、中央レポジトリーによって、試験所５６０が、（例えば製造者５１０によって選択された）提案された別個の特徴、複数の別個の特徴の組合せ、提案されたタガント繊維カウント、及び／又は提案されたタガント繊維カウントの数によって、サプライチェーン中に導入される製造者５１０の繊維及び繊維製品を一意的に表すことができるかどうかを判断することができる。
【０１７５】
[00192]幾つかの態様においては、試験所５６０は、提案された別個の特徴、複数の別個の特徴の組合せ（例えば提案された断面寸法及び／又は断面形状）、提案されたタガント繊維カウント、及び／又は提案されたタガント繊維カウントの数を、製造者５１０から受け取ることができる。試験所５６０は、例えば、提案された別個の特徴、複数の別個の特徴の組合せ、提案されたタガント繊維カウント、及び／又は提案されたタガント繊維カウントの数を、（例えば中央レポジトリー内の）形成されたデータ記録と比較して、これらの提案された別個の特徴、複数の別個の特徴の組合せ、提案されたタガント繊維カウント、及び／又は提案されたタガント繊維カウントの数によって、製造者５１０を一意的に識別することができるかどうか（例えば、提案されている別個の特徴、複数の別個の特徴の組合せ、提案されたタガント繊維カウント、そのペースのカウントが、他の製造者のような他のサプライチェーン要素に割り当てられていないこと）を判断することができる。提案された別個の特徴、複数の別個の特徴の組合せ、提案されたタガント繊維カウント、及び／又は提案されたタガント繊維カウントの数が製造者５１０を一意的に表すことができる場合には、試験所５６０は、提案された別個の特徴、複数の別個の特徴の組合せ、提案されたタガント繊維カウント、及び／又は提案されたタガント繊維カウントの数を製造者５１０に割り当て、データ記録をアップデートしてこの割り当てを反映し、そして（ネットワーク５５０を介して試験所５６０と製造者５１０の演算システムの間で）製造者５１０への割り当ての認証を与えることができる。
【０１７６】
[00193]或いは、試験所５６０が、提案された別個の特徴、複数の別個の特徴の組合せ、提案されたタガント繊維カウント、及び／又は提案されたタガント繊維カウントの数を従前に他の製造者に割り当てた（又は、提案された別個の特徴、複数の別個の特徴の組合せ、提案されたタガント繊維カウント、及び／又は提案されたタガント繊維カウントの数が製造者５１０を表すのに不適切である）場合には、試験所５６０は、代わりの別個の特徴、複数の別個の特徴の組合せ、代わりのタガント繊維カウント、及び／又は代わりのタガント繊維カウントの数を製造者５１０に割り当て、データ記録をアップデートしてこの代わりの割り当てを反映させ、そして製造者５１０への代わりの割り当ての認証を与えることができる。他の形態においては、試験所５６０は、提案された別個の特徴、複数の別個の特徴の組合せ、タガント繊維カウント、及び／又はタガント繊維カウントの数を他の製造者に割り当てたことの指示を製造者５１０に与え、上記に記載したように試験所５６０によって割り当てるために、製造者５１０が更なる別個の特徴、複数の別個の特徴の組合せ、タガント繊維カウント、及び／又はタガント繊維カウントの数を提案することを要求することができる。
【０１７７】
[00194]幾つかの形態においては、割り当てを認証したら、製造者５１０は、割り当てられた別個の特徴、複数の別個の特徴の組合せ、タガント繊維カウント、タガント繊維カウントの数を示す識別繊維を入手及び／又は製造することができる。例えば、入手するか又は製造する識別繊維には、割り当てられた別個の特徴又は複数の別個の特徴を示し、及び更には割り当てられたタガント繊維カウントに対応する繊維カウント中に存在する区別可能な識別繊維の群を含めることができる。
【０１７８】
[00195]しかしながら他の形態においては、製造者５１０は更に、割り当てられた別個の特徴、複数の別個の特徴の組合せ、タガント繊維カウント、及び／又はタガント繊維カウントの数を、サプライチェーンの１以上の上流の要素（例えば、製造場所、製造ライン、製造ラン、製造日、梱包）、及び／又はサプライチェーンの種々の下流の要素（例えば、倉庫、取引先、納入先等）に相関させることができる。例えば、製造者５１０は、繊維カウントが、割り当てられた別個の特徴、複数の別個の特徴の組合せ、タガント繊維カウント、及び／又はタガント繊維カウントと組み合わさって、サプライチェーン内の特定の取引先（例えば取引先５２０）を一意的に表すことができることを更に明示することができる。
【０１７９】
[00196]しかしながら、開示する態様は、製造者５１０が取引先５２０を割り当てられた別個の特徴、複数の別個の特徴の組合せ、タガント繊維カウント、及び／又はタガント繊維カウントの数に相関させることを可能にする技術に限定されない。更なる態様においては、製造者５１０は、任意の更なる又は別のタガント情報（例えば参照繊維の数等）を特定して、割り当てられた別個の特徴、複数の別個の特徴の組合せ、タガント繊維カウント、及び／又はタガント繊維カウントの数と組み合わせて、他の上流又は下流のサプライ要素（又はその組合せ）を表すことができる。
【０１８０】
[00197]幾つかの形態においては、試験所５６０又は他の機関は、製造者５１０を、割り当てられた別個の特徴、複数の別個の特徴の組合せ、タガント繊維カウント、及び／又はタガント繊維カウントの数にリンクさせる情報を保持することができるが、製造者５１０は、製造者５１０によって製造される識別繊維、及びしたがって繊維製品をサプライチェーンの他の上流及び下流の要素にリンクさせる秘密の更なるタガント情報（例えば、繊維カウント、参照繊維の数、割り当てられていないタガント繊維カウント等）を保持することができる。幾つかの場合においては、更なるタガント情報の秘密性によって、取引先（例えば取引先５２０）、納入先、倉庫、及び製造者５１０に関係する他の内部のサプライチェーン要素（例えば、製造場所又はライン、並びに製造ラン又は日）を試験所５６０が識別することを、製造者５１０が阻止することを可能にすることができる。
【０１８１】
[00198]上記に記載した態様により、サプライチェーンの特定の要素に相関するタガント情報の特定の組合せが識別され、試料の識別繊維において示される場合には、試験所、製造者、又は他の機関が試料に関連する特定のサプライチェーン要素を識別することが可能になる。しかしながら、当業者であれば、開示する態様は上記に概説した特定の組合せ又はタガント情報に限定されず、更なる態様においては、特定のサプライチェーン要素を識別繊維によって示される任意の更なる又は別の物理的、化学的、及び／又は光学的特徴と相関させることができることを理解するであろう。更に、図５Ａ及び５Ｂには示されていないが、当業者であれば、環境５００に関係する機関（示されているか又は示されていない）は、開示する態様に合致する操作を実施する際に、１以上の倉庫を用いて原材料、中間製品、最終段階製品等を保管することができることを理解するであろう。
【０１８２】
[00199]図６は、開示する態様に合致する１以上の機関によって用いられる演算システム６００の非限定的な例を示す。製造者５１０（例えば製造者システム５１２として）、取引先５２０、要請機関５３０、及び／又は試験所５６０（例えば試験所システム５６２として）によって、種々の代表的なシステム６００を用いることができる。一態様においては、システム６００に、１以上のプロセッサー６２１、１以上の入出力（Ｉ／Ｏ）機器６２２、及び１以上のメモリー６２３を含ませることができる。幾つかの態様においては、システム６００は、サーバー、メインフレームコンピューター、又はこれらのコンポーネントの任意の組合せの形態をとることができる。幾つかの態様においては、システム６００は、スマートホン、タブレット、ラップトップコンピューター、又はこれらのコンポーネントの任意の組合せのようなモバイル演算機器の形態をとることができる。或いは、システム６００は、開示する態様と合致する１以上の操作を行うソフトウエア命令の保存、実行、及び／又は実施に基づく特定の装置、埋込システム、専用回路などとして構成することができる。
【０１８３】
[00200]プロセッサー６２１には、モバイル機器マイクロプロセッサー又は任意の種々の他のプロセッサーのような１以上の公知の処理装置を含ませることができる。開示する態様は、システム６００内で構成されるいずれのタイプの１つ又は複数のプロセッサーにも限定されない。
【０１８４】
[00201]メモリー６２３には、プロセッサー６２４によって用いられる命令を保存して、開示する態様に関連する機能を果たすように構成されている１以上の記憶装置を含ませることができる。例えば、メモリー６２３は、プロセッサー６２１によって実行された際に開示する態様と合致する１以上の操作を行うことができる１つ又は複数のプログラム６２４のような１以上のソフトウエア命令を有して構成することができる。開示する態様は、専ら特定の目的のためのタスク実行するように構成されている別のプログラム又はコンピューターに限定されない。例えば、メモリー６２３にはシステム６００の機能を果たす単一のプログラム６２４を含ませることができ、或いはプログラム６２４には複数のプログラムを含ませることができる。メモリー６２３はまた、別個の特徴をサプライチェーン情報の１以上の要素にマッピングする相関データのような１以上のプログラム６１２によって用いられるデータ６２５を保存することもできる。
【０１８５】
[00202]Ｉ／Ｏ機器６２２は、データをシステム６００によって受信及び／又は送信することを可能にするように構成されている１以上の機器であってよい。Ｉ／Ｏ機器６２２には、環境５００の要素が環境５００の他の要素のような他の機械及び機器と通信することを可能にする１以上のデジタル及び／又はアナログ機器を含ませることができる。例えば、Ｉ／Ｏ機器６２２に、メッセージ、別個の特徴の情報、サプライチェーン情報を表示し、或いは製造者５１０、取引先５２０、要請機関５３０、及び／又は試験所５６０の従業員のようなユーザーに他の情報を与えるためのスクリーンを含ませることができる。Ｉ／Ｏ機器６２２にはまた、タッチセンサー領域、キーボード、ボタン、又はマイクのような、ユーザーがシステム６００と交信することを可能にする１以上のデジタル及び／又はアナログ機器を含ませることもできる。Ｉ／Ｏ機器６２２にはまた、ユーザーと交信するための当該技術において公知の他のコンポーネントを含ませることもできる。
【０１８６】
[00203]システム６００のコンポーネントは、当業者に明らかなように、ハードウエア、ソフトウエア、又はハードウエア及びソフトウエアの両方の組合せの中に実装することができる。例えば、システム６００の１以上のコンポーネントはコンピューターの処理命令として実装することができるが、システム６００の機能の全部又は一部を、代わりに専用の電子機器ハードウエア中に実装することができる。
【０１８７】
[00204]システム６００はまた、１以上のデータベース６２７に通信接続することもできる。システム６００は、ネットワーク５５０を介して１つ又は複数のデータベース６２７に通信接続することができる。データベース６２７には、情報を保存し、システム６００を通してアクセス及び／又は管理される１以上の記憶装置を含ませることができる。例として、１つ又は複数のデータベース６２７には、Oracle（登録商標）データベース、Sybase（登録商標）データベース、又はHadoopシーケンスファイル、HBase、又はCassandraのような他のリレーショナルデータベース又は非リレーショナルデータベースを含ませることができる。
【０１８８】
[00205]データベース又は他のファイルには、例えば、別個の特徴、サプライチェーン情報、別個の特徴をサプライチェーン情報にマッピングする相関データ、サプライチェーン情報に割り当てられた別個の特徴を表すデータ等を含ませることができる。例えば、データベース及び他のファイルに、サプライチェーン要素を、上記に記載したような繊維試料中に含まれる別個の特徴、複数の別個の特徴の組合せ、タガント繊維カウント、タガント繊維カウントの数、及び／又は参照繊維の数にマッピングする相関データを含ませることができる。更に例として、データベース及び他のファイルに、上記で概説したような試験所５６０によってサプライチェーン要素に割り当てられた繊維試料中に含まれる別個の特徴、複数の別個の特徴の組合せ、タガント繊維カウント、タガント繊維カウントの数、及び／又は参照繊維の数を含ませることもできる。
【０１８９】
[00206]しかしながら、開示する態様のシステム及び方法は、離れたデータベースに限定されない。一形態においては、システム６００にデータベース６２７を含ませることができる。或いは、データベース６２７をシステム６００から離して配置することができる。データベース６２７には、１つ又は複数のデータベース６２７のメモリー機器内に保存されているデータに関する要求を受信及び処理し、データベース６２７からデータを提供するように構成されている演算コンポーネント（例えば、データベース管理システム、データベースサーバー等）を含ませることができる。
【０１９０】
[00207]上記の記載は試験所５６０を種々のタガントを割り当てる機関として示しているが、他の形態においては、製造者５１０、取引先５２０、要請機関５３０、又は示されていない第三者機関を、識別繊維に関してタガントを割り当てる機関にすることができる。更に、図５Ａ及び５Ｂに示すように、本記載は、紙巻きタバコフィルターに関係するセルロースアセテートトウ及び非合法市場に焦点を置いているが、幾つかの態様は明らかに不正取引にかけられる任意の材料及び任意の物品の繊維に適用される。
【０１９１】
[00208]図７は、開示する態様に関して理解され且つ上記に記載した、サプライチェーン情報を繊維中に埋め込む方法の非限定的な例を示す。
[00209]図８は、開示する態様に関して理解され且つ上記に記載した、相関データを作成する方法の非限定的な例を示す。例えば図８に示すように、製造者５１０（及び更には又は或いは試験所５６０）は、１以上の対応する属性を有するサプライチェーン要素の第１の構造化リストを作成することができ、別個の特徴（例えば、断面寸法及び／又は形状、光学特性、表面マーキング、タガントセグメントカウント、タガントセグメントの形態的関係、及び／又はタガントセグメントポインター）の第２の構造化リストを作成することができる。幾つかの形態においては、製造者５１０は、第２の構造化リスト内に含まれる別個の特徴の測定可能な段階を規定することができ、更に（ｉ）第１の構造化リストの要素を第２の構造化リストの要素にマッピングし；そして（ｉｉ）サプライチェーン要素の属性を規定された測定可能な段階にマッピングする；ことができる。製造者５１０は、更なる形態においては、第１及び第２の構造化リストの要素のマッピング、及びサプライチェーン要素のサプライ属性の規定された測定可能な段階へのマッピングを反映する相関データを（例えばデータベース６２７内に）保存することができる。
【０１９２】
[00210]図９は、開示する態様に関して理解され且つ上記に記載した、相関データを作成する方法の更なる非限定的な例を示す。例えば図９に示すように、試験所５６０（及び更には又は或いは製造者５１０）は、サプライチェーンの要素の第１の構造化リストを作成することができる。１つの場合においては、サプライチェーン要素は１以上の対応する属性を表すことができる。試験所５６０はまた、別個の特徴の測定可能な段階（例えば、断面寸法及び／又は形状、光学特性、表面マーキング、タガントセグメントカウント、タガントセグメントの形態的関係、及び／又はタガントセグメントポインターの段階）を規定することもでき、そして別個の特徴の規定された測定可能な段階の別個の組合せを含む第２の構造化リストを作成することができる。幾つかの形態においては、試験所５６０は、第３の構造化リスト内に含まれる別個の特徴又は複数の別個の特徴の組合せの対応するものを示す区別可能な識別繊維の潜在的な群を識別する第３の構造化リストを作成することができる。区別可能な識別繊維の潜在的な群は、例えば第１の構造化リスト内に含まれるサプライチェーン要素を表すことができるものであってよい。試験所５６０は更に、サプライチェーン要素の属性を区別可能な識別繊維の潜在的な群にマッピングし、そしてサプライチェーン要素の属性の区別可能な識別繊維の潜在的な群へのマッピングを反映する相関データを（例えばデータベース６２７内に）保存することができる。
【０１９３】
[00211]図１０は、開示する態様に関して理解され且つ上記に記載した、単一成分及び／又は多成分識別繊維の製造方法の非限定的な例を示す。
[00212]図１１は、開示する態様に関して理解され且つ上記に記載した、単一成分及び／又は多成分識別繊維を製造するための１以上の方法を選択する方法の非限定的な例を示す。
【０１９４】
[00213]図１２は、開示する態様に関して理解され且つ上記に記載した、繊維試料に関連する少なくとも１つのサプライチェーン要素を識別する方法の非限定的な例を示す。
[00214]図１３は、開示する態様に関して理解され且つ上記に記載した、サプライチェーン要素を一意的に表す複数の別個の特徴の組合せ及びタガント繊維カウントをサプライチェーン要素に割り当てる方法の非限定的な例を示す。
【０１９５】
[00215]上記に記載した代表的な技術を用いて、製造者（例えば製造者５１０）、試験所（例えば試験所５６０）、又は他の機関（例えば第三者機関）は、（例えば要請機関５３０によって非合法市場５４０から入手された）セルロースアセテート繊維を含む不正取引されたセルロースアセテート繊維又は繊維製品から採取した試料に関連するサプライチェーン要素を正規に且つ信頼性をもって識別することができる。しかしながら、開示する態様は、不正取引されたアセテート繊維又は繊維製品に対抗する技術に限定されない。更なる態様においては、製造者５１０、試験所５６０、及び／又は他の機関は、上記で概説した任意の代表的な技術を実施して、サプライチェーン内の公認された供給源（例えば要請機関５３０及び／又は取引先５２０）から入手したセルロースアセテート繊維又は繊維製品の合法取引された試料に関連するサプライチェーン要素を識別することができる。
【０１９６】
[00216]非限定的な態様Ａ１〜Ａ２４を下記に示す。
[00217]Ａ１．識別繊維を含み；識別繊維のそれぞれは少なくとも１つの別個の特徴を示し；少なくとも１つの別個の特徴は少なくとも１つのタガント光学特性を含み；識別繊維は区別可能な識別繊維の１以上の群から構成され、区別可能な識別繊維のそれぞれの群は、同じ別個の特徴又は同じ複数の別個の特徴の組合せを有する識別繊維によって形成され；区別可能な識別繊維のそれぞれの群における識別繊維の数は繊維カウントとして規定され；繊維カウントの少なくとも１つはタガント繊維カウントに対応し；（ｉ）少なくとも１つのタガント光学特性、（ｉｉ）区別可能な識別繊維のそれぞれの群における別個の特徴、及び（ｉｉｉ）１以上のタガント繊維カウントは繊維の少なくとも１つのサプライチェーン要素を表す繊維。
【０１９７】
[00218]Ａ２．標準繊維を更に含む、態様Ａ１の繊維。
[00219]Ａ３．別個の特徴が、１以上のタガント断面形状、１以上のタガント断面寸法、１以上のタガント表面マーキングを含み、区別可能な識別繊維のそれぞれの群に関するタガント繊維カウントの数は１〜１０、１〜５、又は１〜３の範囲である、態様Ａ１又はＡ２のいずれかの繊維。
【０１９８】
[00220]Ａ４．タガント断面形状の数が１〜２５、１〜１５、１〜１０、又は１〜５の範囲であり、タガント断面寸法の数が１〜２５、１〜２５、１〜１５、１〜１０、１〜５、又は１〜３の範囲である、態様Ａ３の繊維。
【０１９９】
[00221]Ａ５．タガント表面マーキングの一部が、識別繊維のモノフィラメント又は一部の上の印刷されたコードとして示される、態様Ａ３又はＡ４のいずれかの繊維。
[00222]Ａ６．識別繊維が参照繊維を含み、参照繊維は参照断面寸法及び参照断面形状を示し、タガント断面寸法のそれぞれと参照断面寸法との比は２０：１〜１：２０の範囲であり、参照断面寸法及びタガント断面寸法は有効径に基づいて定められる、態様Ａ３〜Ａ５のいずれかの繊維。
【０２００】
[00223]Ａ７．標準繊維がセルロースアセテートを含む、態様Ａ２〜Ａ６のいずれかの繊維。
[00224]Ａ８．識別繊維が、アクリル、モダクリル、アラミド、ナイロン、ポリエステル、ポリプロピレン、レイヨン、ポリアクリロニトリル、ポリエチレン、ＰＴＦＥ、又はセルロースアセテートを含む、態様Ａ２〜Ａ７のいずれかの繊維。
【０２０１】
[00225]Ａ９．識別繊維の一部が、クロモフタールレッド２０３０（CAS No. 84632-65-5）、銅フタロシアニン（CAS No. 147-14-8）、ＦＤ＆ＣイエローレーキＮｏ．５（CAS No. 12225-21-7）、アナターゼ型二酸化チタン、ルチル型二酸化チタン、及び混合相二酸化チタンからなる群から選択される化合物を含み、これによってタガント光学特性が示される、態様Ａ１〜Ａ８のいずれかの繊維。
【０２０２】
[00226]Ａ１０．少なくとも１つのサプライチェーン要素が、標準繊維の製造者、標準繊維の製造場所、標準繊維の製造ライン、標準繊維の製造ラン、標準繊維の製造日、標準繊維の包装、標準繊維の倉庫、標準繊維の取引先、標準繊維の納入先、繊維を含む繊維バンドの製造者、繊維バンドの製造場所、繊維バンドの製造ライン、繊維バンドの製造ラン、繊維バンドの製造日、繊維バンドの包装、繊維バンドの倉庫、繊維バンドの取引先、繊維バンドの納入先、繊維を含む物品の製造者、物品の製造場所、物品の製造ライン、物品の製造ラン、物品の製造日、物品の包装、物品の倉庫、物品の取引先、又は物品の納入先の少なくとも１つを含む、態様Ａ２〜Ａ９のいずれかの繊維。
【０２０３】
[00227]Ａ１１．標準繊維がセルロースアセテートを含む、態様Ａ２〜Ａ１０のいずれかの任意の繊維を含むアセテートトウバンド。
[00228]Ａ１２．標準繊維がセルロースアセテートを含み；（ａ）第１の繊維製造プロセスで識別繊維を製造し；（ｂ）第２の繊維製造プロセスで標準繊維を製造し；そして（ｃ）識別繊維と標準繊維を結合してアセテートトウバンドにする；ことを含む、態様Ａ２〜Ａ１０のいずれかの任意の繊維を含むアセテートトウバンドの製造方法。
【０２０４】
[00229]Ａ１３．第１の繊維製造プロセス及び第２の繊維製造プロセスが共通の繊維製造プロセスに対応する、態様Ａ１２の方法。
[00230]Ａ１４．区別可能な紡糸口金孔を用いて、タガント断面形状又はタガント断面寸法を示す識別繊維を製造し、区別可能な紡糸口金孔のそれぞれの群は、同じ区別可能な紡糸口金孔形態を有する紡糸口金孔によって形成され、タガント断面形状又はタガント断面寸法を示す区別可能な識別繊維のそれぞれの群は、区別可能な紡糸口金孔の対応する群を用いて製造する、態様Ａ１２又はＡ１３のいずれかの方法。
【０２０５】
[00231]Ａ１５．区別可能な紡糸口金孔の全部が単一の紡糸口金内に含まれている、態様Ａ１４の方法。
[00232]Ａ１６．クロモフタールレッド２０３０（CAS No. 84632-65-5）、銅フタロシアニン（CAS No. 147-14-8）、ＦＤ＆ＣイエローレーキＮｏ．５（CAS No. 12225-21-7）、アナターゼ型二酸化チタン、ルチル型二酸化チタン、及び混合相二酸化チタンからなる群から選択される化合物を、識別繊維の一部を製造するために用いる紡糸溶液に加えることを更に含み、これによってタガント光学特性が示される、態様Ａ１２〜Ａ１５のいずれかの方法。
【０２０６】
[00233]Ａ１７．（１）態様Ａ２〜Ａ１０のいずれかの任意の繊維を含む繊維試料に画像技術を適用し；（２）区別可能な識別繊維の群を検出し；そして（３）区別可能な識別繊維のそれぞれの数を計数する；ことを含む、繊維試料を特徴付ける方法。
【０２０７】
[00234]Ａ１８．標準繊維がセルロースアセテートを含み、繊維試料は繊維を含む物品の一部を含み、物品はフィルターロッド及び紙巻きタバコフィルターからなる群から選択される、態様Ａ１７の方法。
【０２０８】
[00235]Ａ１９．繊維試料が繊維を含む物品の一部を含み、物品は、布帛及び他の編織製品、不織布、及び吸収材製品からなる群から選択される、態様Ａ１７の方法。
[00236]Ａ２０．画像技術が、人間の目視検査、顕微鏡検査、電子顕微鏡検査、共焦点顕微鏡検査、ケイ光顕微鏡検査、及び光学スキャンからなる群から選択される、態様Ａ１７〜Ａ１９のいずれかの方法。
【０２０９】
[00237]Ａ２１．画像技術を繊維の長さに対して横方向に適用する、態様Ａ１７〜Ａ２０のいずれかの方法。
[00238]Ａ２２．（ａ）（ｉ）タガント光学特性、（ｉｉ）区別可能な識別繊維のそれぞれの群における別個の特徴、及び（ｉｉｉ）１以上のタガント繊維カウントを、製造者に固有のタガントを含むデータベースに相関させ；そして（ｂ）標準繊維の製造者、標準繊維の製造場所、標準繊維の製造ライン、標準繊維の製造ラン、標準繊維の製造日、標準繊維の包装、標準繊維の倉庫、標準繊維の取引先、標準繊維の納入先、標準繊維を含む繊維バンドの製造者、繊維バンドの製造場所、繊維バンドの製造ライン、繊維バンドの製造ラン、繊維バンドの製造日、繊維バンドの包装、繊維バンドの倉庫、繊維バンドの取引先、繊維バンドの納入先、繊維を含む物品の製造者、物品の製造場所、物品の製造ライン、物品の製造ラン、物品の製造日、物品の包装、物品の倉庫、物品の取引先、又は物品の納入先の少なくとも１つを含む少なくとも１つのサプライチェーン要素を求める；ことを更に含む、態様Ａ１７〜Ａ２１のいずれかの方法。
【０２１０】
[00239]Ａ２３．少なくとも１つのサプライチェーン要素が、標準繊維を含む繊維バンドの製造者、及び繊維バンドの取引先を含む、態様Ａ２２の方法。
[00240]Ａ２４．少なくとも１つのサプライチェーン要素が、標準繊維を含む繊維バンドの製造者、及び繊維バンドの納入先を含む、態様Ａ２２の方法。
【０２１１】
[00241]更なる非限定的な態様Ｂ１〜Ｂ５３を下記に示す。
[00242]Ｂ１．標準繊維を入手し；
識別繊維を入手し、識別繊維は区別可能な識別繊維の１以上の群を含み、区別可能な識別繊維の群のそれぞれは対応する別個の特徴又は対応する複数の別個の特徴の組合せを示し、識別繊維はタガント繊維カウントに関連付けられており、タガント繊維カウントはこれらの群のそれぞれの中の識別繊維の数を示し；そして
標準繊維を識別繊維と結合する；
ことを含み、
別個の特徴、複数の別個の特徴の組合せ、及び／又はタガント繊維カウントはサプライチェーンの少なくとも１つの要素を表す、サプライチェーン情報を繊維中に埋め込む方法。
【０２１２】
[00243]Ｂ２．別個の特徴が、断面形状、断面寸法、光学特性、及び／又は表面マーキングを含む、態様Ｂ１の方法。
[00244]Ｂ３．かかる群によって示される複数の別個の特徴の組合せが、断面形状、断面寸法、光学特性、及び／又は表面マーキングの組合せを含む、態様Ｂ２の方法。
【０２１３】
[00245]Ｂ４．少なくとも１つのサプライチェーン要素が、製造者、製造場所、製造ライン、製造ラン、製造日、包装、梱包、倉庫、取引先、及び／又は納入先を含む、態様Ｂ１〜Ｂ３のいずれかの方法。
【０２１４】
[00246]Ｂ５．かかる群のそれぞれの中に含まれる区別可能な識別繊維の数を繊維カウントとして規定し、そして対応するタガント繊維カウントを求めることを含む、態様Ｂ１〜Ｂ４のいずれかの方法。
【０２１５】
[00247]Ｂ６．（ｉ）別個の特徴、（ｉｉ）複数の別個の特徴の組合せ、（ｉｉｉ）タガント繊維カウント、及び／又は（ｉｖ）タガント繊維カウントの数が、少なくとも１つのサプライチェーン要素を表す、態様Ｂ５の方法。
【０２１６】
[00248]Ｂ７．（ｉ）断面形状、（ｉｉ）断面寸法、（ｉｉｉ）光学特性、（ｉｖ）表面マーキング、（ｖ）かかる群によって示される別個の特徴、（ｖｉ）かかる群によって示される複数の別個の特徴の組合せ、（ｖｉｉ）タガント繊維カウント、及び／又は（ｖｉｉｉ）タガント繊維カウントの数を識別する情報を第三者から受け取ることを更に含む、態様Ｂ１〜Ｂ６のいずれかの方法。
【０２１７】
[00249]Ｂ８．サプライチェーンの少なくとも１つの要素を表すように提案された断面形状、提案された断面寸法、提案された別個の特徴、提案された複数の別個の特徴の組合せ、提案されたタガント繊維カウント、及び／又は提案されたタガント繊維カウントの数を識別し；
その提案された断面形状、提案された断面寸法、提案された別個の特徴、提案された複数の別個の特徴の組合せ、提案されたタガント繊維カウント、及び／又は提案されたタガント繊維カウントの数を第三者に提供し；そして
その提案された断面形状、提案された断面寸法、提案された別個の特徴、提案された複数の別個の特徴の組合せ、提案されたタガント繊維カウント、及び／又は提案されたタガント繊維カウントの数のサプライチェーンの少なくとも１つの要素への割り当てを示す情報を第三者から受け取る；
ことを更に含む、態様Ｂ１〜Ｂ７のいずれかの方法。
【０２１８】
[00250]Ｂ９．サプライチェーンの少なくとも１つの要素を表すことができる提案された断面形状、提案された断面寸法、提案された別個の特徴、提案された複数の別個の特徴の組合せ、提案されたタガント繊維カウント、及び／又は提案されたタガント繊維カウントの数を識別し；
その提案された断面形状、提案された断面寸法、提案された別個の特徴、提案された複数の別個の特徴の組合せ、提案されたタガント繊維カウント、及び／又は提案されたタガント繊維カウントの数を、サプライチェーンの少なくとも１つの要素に割り当てる；
ことを更に含む、態様Ｂ１〜Ｂ７のいずれかの方法。
【０２１９】
[00251]Ｂ１０．サプライチェーンの少なくとも１つの要素を表すように提案された断面形状、提案された断面寸法、提案された光学特性、提案された表面マーキング、提案された別個の特徴、提案された複数の別個の特徴の組合せ、提案されたタガント繊維カウント、及び／又は提案されたタガント繊維カウントの数を識別し；
その提案された断面形状、提案された断面寸法、提案された光学特性、提案された表面マーキング、提案された別個の特徴、提案された複数の別個の特徴の組合せ、提案されたタガント繊維カウント、及び／又は提案されたタガント繊維カウントの数を第三者に提供し；そして
その提案された断面形状、提案された断面寸法、提案された光学特性、提案された表面マーキング、提案された別個の特徴、提案された複数の別個の特徴の組合せ、提案されたタガント繊維カウント、及び／又は提案されたタガント繊維カウントの数のサプライチェーンの少なくとも１つの要素への割り当てを示す情報を第三者から受け取る；
ことを更に含む、態様Ｂ１〜Ｂ７のいずれかの方法。
【０２２０】
[00252]Ｂ１１．サプライチェーンの少なくとも１つの要素を表すことができる提案された断面形状、提案された断面寸法、提案された光学特性、提案された表面マーキング、提案された別個の特徴、提案された複数の別個の特徴の組合せ、提案されたタガント繊維カウント、及び／又は提案されたタガント繊維カウントの数を識別し；
その提案された断面形状、提案された断面寸法、提案された光学特性、提案された表面マーキング、提案された別個の特徴、提案された複数の別個の特徴の組合せ、提案されたタガント繊維カウント、及び／又は提案されたタガント繊維カウントの数を、サプライチェーンの少なくとも１つの要素に割り当てる；
ことを更に含む、態様Ｂ１〜Ｂ７のいずれかの方法。
【０２２１】
[00253]Ｂ１２．サプライチェーンの少なくとも１つの要素が製造者に対応する、態様Ｂ８〜Ｂ１１のいずれかの方法。
[00254]Ｂ１３．区別可能な識別繊維が少なくとも１つの多成分繊維を含み、少なくとも１つの多成分繊維は複数のセグメントを含む、態様Ｂ１〜Ｂ１２のいずれかの方法。
【０２２２】
[00255]Ｂ１４．別個の特徴が、少なくとも１つの多成分繊維によって示されるタガントセグメントカウント、タガントセグメントの形態的関係、及び／又はタガントセグメントポインターを含む、態様Ｂ１３の方法。
【０２２３】
[00256]Ｂ１５．かかる群によって示される複数の別個の特徴の組合せが、タガントセグメントカウント、タガントセグメントの形態的関係、及び／又はタガントセグメントポインターの組合せを含む、態様Ｂ１４の方法。
【０２２４】
[00257]Ｂ１６．複数のセグメントが少なくとも１つの島部及び海部を含む、態様Ｂ１３〜Ｂ１５のいずれかの方法。
[00258]Ｂ１７．タガントセグメントカウント、タガントセグメントの形態的関係、及び／又はタガントセグメントポインターを識別する情報を第三者から受け取ることを更に含む、態様Ｂ１３〜Ｂ１６のいずれかの方法。
【０２２５】
[00259]Ｂ１８．サプライチェーンの少なくとも１つの要素を表すように提案されたタガントセグメントカウント、提案されたタガントセグメントの形態的関係、提案されたタガントセグメントポインター、提案された別個の特徴、提案された複数の別個の特徴の組合せ、提案されたタガント繊維カウント、及び／又は提案されたタガント繊維カウントの数を識別し；
その提案されたタガントセグメントカウント、提案されたタガントセグメントの形態的関係、提案されたタガントセグメントポインター、提案された別個の特徴、提案された複数の別個の特徴の組合せ、提案されたタガント繊維カウント、及び／又は提案されたタガント繊維カウントの数を第三者に提供し；そして
その提案されたタガントセグメントカウント、提案されたタガントセグメントの形態的関係、提案されたタガントセグメントポインター、提案された別個の特徴、提案された複数の別個の特徴の組合せ、提案されたタガント繊維カウント、及び／又は提案されたタガント繊維カウントの数のサプライチェーンの少なくとも１つの要素への割り当てを示す情報を第三者から受け取る；
ことを更に含む、態様Ｂ１３〜Ｂ１７のいずれかの方法。
【０２２６】
[00260]Ｂ１９．サプライチェーンの少なくとも１つの要素を表すことができる提案されたタガントセグメントカウント、提案されたタガントセグメントの形態的関係、提案されたタガントセグメントポインター、提案された別個の特徴、提案された複数の別個の特徴の組合せ、提案されたタガント繊維カウント、及び／又は提案されたタガント繊維カウントの数を識別し；
その提案されたタガントセグメントカウント、提案されたタガントセグメントの形態的関係、提案されたタガントセグメントポインター、提案された別個の特徴、提案された複数の別個の特徴の組合せ、提案されたタガント繊維カウント、及び／又は提案されたタガント繊維カウントの数を、サプライチェーンの少なくとも１つの要素に割り当てる；
ことを更に含む、態様Ｂ１３〜Ｂ１７のいずれかの方法。
【０２２７】
[00261]Ｂ２０．区別可能な識別繊維が参照繊維を含み、参照繊維は対応する参照断面形状及び対応する参照断面寸法を有する、態様Ｂ１〜Ｂ１９のいずれかの方法。
[00262]Ｂ２１．参照断面寸法が複数の参照繊維の平均有効径に対応し、平均有効径は区別可能な識別繊維の別個の群のそれぞれに関連する断面寸法よりも大きいか又は小さい、態様Ｂ２０の方法。
【０２２８】
[00263]Ｂ２２．参照繊維の数と他の区別可能な識別繊維の数の合計が予め定められた値に対応する、態様Ｂ１９及びＢ２１のいずれかの方法。
[00264]Ｂ２３．標準繊維及び／又は識別繊維の一部がセルロースアセテート繊維を含む、態様Ｂ１〜Ｂ２２のいずれかの方法。
【０２２９】
[00265]Ｂ２４．標準繊維を識別繊維と結合してセルロースアセテートトウバンドを形成することを更に含む、態様Ｂ２３の方法。
[00266]Ｂ２５．セルロースアセテートトウバンドからフィルターロッド及び／又は紙巻きタバコフィルターの一部を製造することを更に含む、態様Ｂ２４の方法。
【０２３０】
[00267]Ｂ２６．標準繊維を識別繊維と結合して、布帛、他の編織製品、不織布、及び／又は吸収材製品の一部を形成することを更に含む、態様Ｂ１〜Ｂ２５のいずれかの方法。
【０２３１】
[00268]Ｂ２７．標準繊維を入手することが第１の繊維製造プロセスで標準繊維の少なくとも一部を製造することを含む、態様Ｂ１〜Ｂ２６のいずれかの方法。
[00269]Ｂ２８．第１の繊維製造プロセスが、乾式紡糸プロセス、溶液紡糸プロセス、溶融紡糸プロセス、電子紡糸プロセス、ゲル紡糸プロセス、多成分紡糸プロセス、メルトブロープロセス、及び／又は溶液ブロープロセスを含む、態様Ｂ２７の方法。
【０２３２】
[00270]Ｂ２９．識別繊維を入手することが、第三者から識別繊維の少なくとも一部を受け取ることを含む、態様Ｂ２７及びＢ２８のいずれかの方法。
[00271]Ｂ３０．識別繊維を入手することが、第２の繊維製造プロセスで識別繊維の少なくとも一部を製造することを含む、態様Ｂ２７〜Ｂ２９のいずれかの方法。
【０２３３】
[00272]Ｂ３１．第２の繊維製造プロセスが、乾式紡糸プロセス、溶液紡糸プロセス、溶融紡糸プロセス、電子紡糸プロセス、ゲル紡糸プロセス、多成分紡糸プロセス、メルトブロープロセス、及び／又は溶液ブロープロセスを含む、態様Ｂ３０の方法。
【０２３４】
[00273]Ｂ３２．第１の製造プロセス及び第２の繊維製造プロセスが共通の繊維製造プロセスに対応する、態様Ｂ３０及びＢ３１のいずれかの方法。
[00274]Ｂ３３．別個の特徴、複数の別個の特徴の組合せ、及び／又はタガント繊維カウントを、少なくとも１つのサプライチェーン要素にマッピングする相関データを作成することを更に含む、態様Ｂ１〜Ｂ３２のいずれかの方法。
【０２３５】
[00275]Ｂ３４．相関データを作成することが、別個の特徴、複数の別個の特徴の組合せ、タガント繊維カウント、及び／又はタガント繊維カウントの数を、少なくとも１つのサプライチェーン要素にマッピングすることを含む、態様Ｂ１〜Ｂ３３のいずれかの方法。
【０２３６】
[00276]Ｂ３５．１以上の対応する属性を有するサプライチェーン要素の第１の構造化リストを作成し；
別個の特徴における測定可能な段階を規定し；
別個の特徴の規定された測定可能な段階の別個の組合せを含む第２の構造化リストを作成し；
第３の構造化リスト内に含まれる別個の組合せの対応するものを示す、第１の構造化リスト内に含まれるサプライチェーン要素を表すことができる区別可能な識別繊維の潜在的な群を識別する第３の構造化リストを作成し；
サプライチェーン要素の属性を区別可能な識別繊維の潜在的な群にマッピングし；そして
サプライチェーン要素の属性の区別可能な識別繊維の潜在的な群へのマッピングを反映する相関データを保存する；
ことを更に含む、態様Ｂ１〜Ｂ３４のいずれかの方法。
【０２３７】
[00277]Ｂ３６．潜在的な群のそれぞれに関するタガント繊維カウントを確定し；そして
サプライチェーン要素の属性を、区別可能な識別繊維の潜在的な群、及び潜在的な群のそれぞれの確定されたタガント繊維カウントにマッピングする；
ことを更に含む、態様Ｂ３５の方法。
【０２３８】
[00278]Ｂ３７．サプライチェーン要素の属性の下位集合を区別可能な識別繊維の潜在的な群にマッピングし；そして
サプライチェーン要素の属性の下位集合の区別可能な識別繊維の潜在的な群へのマッピングを反映する相関データを保存する；
ことを更に含む、態様Ｂ３５の方法。
【０２３９】
[00279]Ｂ３８．１以上の対応する属性を有するサプライチェーン要素の第１の構造化リストを作成し；
別個の特徴の第２の構造化リストを作成し；
第２の構造化リスト内に含まれる別個の特徴の測定可能な段階を規定し；
第１の構造化リストの要素を第２の構造化リストの要素にマッピングし；
サプライチェーン要素の属性を規定された測定可能な段階にマッピングし；そして
第１及び第２の構造化リストの要素のマッピング、及びサプライチェーン要素の属性の規定された測定可能な段階へのマッピングを反映する相関データを保存する；
ことを更に含む、態様Ｂ１〜Ｂ３４のいずれかの方法。
【０２４０】
[00280]Ｂ３９．サプライチェーン要素が、製造者、製造場所、製造ライン、製造ラン、製造日、包装、梱包、倉庫、取引先、及び／又は納入先の表示を含む、態様Ｂ３８の方法。
【０２４１】
[00281]Ｂ４０．識別繊維を入手することが、識別繊維の少なくとも一部を製造することを含み；そして
識別繊維の一部を製造することが、
識別繊維において反映する１以上のサプライチェーン要素の表示を受け取り；
保存されている相関データにアクセスし；
保存されている相関データから、１以上の選択されたサプライチェーン情報要素にマッピングされた少なくとも１つの適用可能な別個の特徴を識別し；
少なくとも１つの適用可能な別個の特徴に基づいて、識別繊維の製造に関連する少なくとも１つの製造方法を選択し；そして
選択された少なくとも１つの製造方法にしたがって識別繊維を製造する；
ことを含む、態様Ｂ３８及びＢ３９のいずれかの方法。
【０２４２】
[00282]Ｂ４１．少なくとも１つの製造方法を選択することが、
識別繊維の適用可能な別個の特徴の少なくとも１つの導入が、識別繊維の物理特性を操作することを含むかどうかを判断し；
識別繊維の少なくとも１つの適用可能な別個の特徴の導入に関する判断に基づいて、識別繊維に関する１以上の製造方法を特定し；そして
特定された１以上の製造方法にしたがって識別繊維を製造する；
ことを含む、態様Ｂ４０の方法。
【０２４３】
[00283]Ｂ４２．識別繊維の少なくとも１つの適用可能な別個の特徴の導入が、少なくとも物理特性を操作することを含むことを判断し；
識別繊維に関する１以上の断面形状を求める；
ことを更に含む、態様Ｂ４１の方法。
【０２４４】
[00284]Ｂ４３．１以上の断面形状のそれぞれを示す識別繊維の数を求めることを更に含む、態様Ｂ４２の方法。
[00285]Ｂ４４．１以上の断面形状のそれぞれを示す識別繊維に関する断面寸法を求める；
ことを更に含む、態様Ｂ４２及びＢ４３のいずれかの方法。
【０２４５】
[00286]Ｂ４５．識別繊維の少なくとも１つの適用可能な別個の特徴の導入が、少なくとも物理特性を操作することを含むことを判断し；そして
１以上の断面形状のそれぞれを示す識別繊維の数を求める；
ことを更に含む、態様Ｂ４１〜Ｂ４４のいずれかの方法。
【０２４６】
[00287]Ｂ４６．識別繊維の少なくとも１つの適用可能な別個の特徴の導入が、少なくとも物理特性を操作することを含むことを判断し；そして
識別繊維によって示される１以上の寸法を求める；
ことを更に含む、態様Ｂ４１〜Ｂ４５のいずれかの方法。
【０２４７】
[00288]
[00289]Ｂ４７．識別繊維の少なくとも１つの適用可能な別個の特徴の導入が、少なくとも物理特性を操作することを含むことを判断し；そして
１以上の断面寸法のそれぞれを示す識別繊維の数を求める；
ことを更に含む、態様Ｂ４１〜Ｂ４６のいずれかの方法。
【０２４８】
[00290]Ｂ４８．識別繊維の少なくとも１つの適用可能な別個の特徴の導入が、少なくとも物理特性を操作することを含むことを判断し；
物理特性の操作が、識別繊維上に表面マーキングを導入することを含むことを判断し；
識別繊維に導入する表面マーキングのタイプを特定し；そして
識別繊維上の表面マーキングの特定されたタイプの製造に関連する少なくとも１つの製造方法を選択する；
ことを更に含む、態様Ｂ４１〜Ｂ４７のいずれかの方法。
【０２４９】
[00291]Ｂ４９．表面マーキングが、識別繊維中のノッチ、識別繊維の引掻又はエッチング、識別繊維の表面上の形態的変化、識別繊維上に印刷されたバーコード、及び／又は一定パターンの光学特性を生成させるための識別繊維の一時的な漂白を含む、態様Ｂ４８の方法。
【０２５０】
[00292]Ｂ５０．少なくとも１つの製造方法を選択することが、
識別繊維の適用可能な別個の特徴の少なくとも１つの導入が、識別繊維の少なくとも１つの光学特性を操作することを含むかどうかを判断し；
識別繊維の少なくとも１つの適用可能な別個の特徴の導入に関する判断に基づいて、識別繊維に関する１以上の製造方法を特定し；そして
特定された１以上の製造方法にしたがって識別繊維を製造する；
ことを含む、態様Ｂ４０の方法。
【０２５１】
[00293]Ｂ５１．識別繊維の少なくとも１つがモノフィラメントを含み、このモノフィラメントは識別繊維及び／又は標準繊維の少なくとも一部から別々に製造される、態様Ｂ１〜Ｂ５０のいずれかの方法。
【０２５２】
[00294]Ｂ５２．モノフィラメントが少なくとも１つの表面マーキングを示し、少なくとも１つの表面マーキングはサプライチェーンの少なくとも１つの要素を表す、態様Ｂ５１の方法。
【０２５３】
[00295]Ｂ５３．少なくとも１つの表面マーキングがバーコードを含む、態様Ｂ５２の方法。
[00296]更なる非限定的な態様Ｃ１〜Ｃ３６を下記に示す。
【０２５４】
[00297]Ｃ１．識別繊維の繊維試料を分析し、識別繊維は区別可能な識別繊維の１以上の群を含み、区別可能な識別繊維の群のそれぞれは対応する別個の特徴又は対応する複数の別個の特徴の組合せを示し；
識別繊維に関するタガント繊維カウントを確定し、タガント繊維カウントは群のそれぞれの中の識別繊維の数を表し；
サプライチェーンの要素を、示された別個の特徴、示された複数の別個の特徴の組合せ、及び／又は確定されたタガント繊維カウントにマッピングする相関データにアクセスし；そして
アクセスした相関データ、示された別個の特徴、示された複数の別個の特徴の組合せ、及び／又は示されたタガント繊維カウントに基づいて、繊維試料に関連するサプライチェーンの少なくとも１つの要素を識別する；
ことを含む、繊維試料からサプライチェーン情報を識別する方法。
【０２５５】
[00298]Ｃ２．繊維試料が標準繊維及び識別繊維を含む、態様Ｃ１の方法。
[00299]Ｃ３．別個の特徴が、区別可能な識別繊維の断面形状、断面寸法、光学特性、及び／又は表面マーキングを含む、態様Ｃ１又はＣ２のいずれかの方法。
【０２５６】
[00300]Ｃ４．示された複数の別個の特徴の組合せが、断面形状、断面寸法、光学特性、及び／又は表面マーキングの別個の組合せを含む、態様Ｃ３の方法。
[00301]Ｃ５．少なくとも１つのサプライチェーン要素が、製造者、製造場所、製造ライン、製造ラン、製造日、包装、梱包、倉庫、取引先、及び／又は納入先を含む、態様Ｃ１〜Ｃ４のいずれかの方法。
【０２５７】
[00302]Ｃ６．少なくとも１つの識別されたサプライチェーン要素が、製造者、製造場所、製造ライン、製造ラン、製造日、包装、梱包、倉庫、取引先、及び／又は納入先を含む、態様Ｃ１〜Ｃ５のいずれかの方法。
【０２５８】
[00303]Ｃ７．区別可能な識別繊維が少なくとも１つの多成分繊維を含み、少なくとも１つの多成分繊維が複数のセグメントを含む、態様Ｃ１〜Ｃ６のいずれかの方法。
[00304]Ｃ８．別個の特徴が、少なくとも１つの多成分繊維によって示されるタガントセグメントカウント、タガントセグメントの形態的関係、及び／又はタガントセグメントポインターを含む、態様Ｃ７の方法。
【０２５９】
[00305]Ｃ９．別個の群によって示される複数の別個の特徴の組合せが、タガントセグメントカウント、タガントセグメントの形態的関係、及び／又はタガントセグメントポインターの組合せを含む、態様Ｃ８の方法。
【０２６０】
[00306]Ｃ１０．複数のセグメントが少なくとも１つの島部及び海部を含む、態様Ｃ７〜Ｃ９のいずれかの方法。
[00307]Ｃ１１．群のそれぞれの中の区別可能な識別繊維の数を繊維カウントとして規定し、そして対応するタガント繊維カウントを求めることを更に含む、態様Ｃ１〜Ｃ１０のいずれかの方法。
【０２６１】
[00308]Ｃ１２．相関データは、サプライチェーン要素を、示される別個の特徴、示される複数の別個の特徴の組合せ、タガント繊維カウント、及び／又はタガント繊維カウントの数にマッピングするものであり；そして
この方法は、アクセスした相関データ、並びに示された別個の特徴、示された複数の別個の特徴の組合せ、示されたタガント繊維カウント、及び／又はタガント繊維カウントの数に基づいて、繊維試料に関連する少なくとも１つのサプライチェーン要素を識別することを更に含む、態様Ｃ１１の方法。
【０２６２】
[00309]Ｃ１３．区別可能な識別繊維が参照繊維を含み、参照繊維は対応する参照断面形状及び対応する参照断面寸法を有する、態様Ｃ１〜Ｃ１２のいずれかの方法。
[00310]Ｃ１４．繊維試料を分析することが繊維試料内の参照繊維を識別することを含み；そして
この方法は、繊維試料内で識別された参照繊維の数を確定することを更に含む、態様Ｃ１３の方法。
【０２６３】
[00311]Ｃ１５．参照断面寸法が参照繊維の少なくとも一部の平均有効径に対応し、この有効径は区別可能な識別繊維の断面寸法よりも大きいか又は小さい、態様Ｃ１３及びＣ１４のいずれかの方法。
【０２６４】
[00312]Ｃ１６．繊維試料を分析することが、
繊維試料内の区別可能な識別繊維の群を識別し；
この群のそれぞれの中に含まれる区別可能な識別繊維の断面寸法を確定し；
群の第１のものの中に含まれる区別可能な識別繊維の断面寸法が、他の群のそれぞれの中の区別可能な識別繊維の断面寸法よりも大きいか又は小さいことを求め；そして
この決定に基づいて、第１の群の中に含まれる区別可能な識別繊維を参照繊維として規定する；
ことを含む、態様Ｃ１３〜Ｃ１５のいずれかの方法。
【０２６５】
[00313]Ｃ１７．繊維試料を分析することが、
繊維試料内の区別可能な識別繊維の群を識別し；
この群のそれぞれの中に含まれる区別可能な識別繊維の数を確定し；
群の第１のものの中に含まれる区別可能な識別繊維の数が、他の群のそれぞれの中の区別可能な識別繊維の数を超えることを求め；そして
この決定に基づいて、第１の別個の群の中に含まれる区別可能な識別繊維を参照繊維として規定する；
ことを含む、態様Ｃ１３〜Ｃ１５のいずれかの方法。
【０２６６】
[00314]Ｃ１８．求めることが、第１の群の中に含まれる区別可能な識別繊維の数が、他の群における区別可能な識別繊維の数の合計を超えることを求めることを含む、態様Ｃ１７の方法。
【０２６７】
[00315]Ｃ１９．求めることが、第１の群の中に含まれる区別可能な識別繊維の数が、他の群の中に含まれる区別可能な識別繊維の数の最大値を超えることを求めることを含む、態様Ｃ１７の方法。
【０２６８】
[00316]Ｃ２０．（ｉ）他の群の中に含まれる区別可能な識別繊維の数の最大値と、（ｉｉ）第１の群の中に含まれる区別可能な識別繊維の数との間の比が少なくとも２：１である、態様Ｃ１９の方法。
【０２６９】
[00317]Ｃ２１．アクセスされる相関データは、サプライチェーン要素を、示される別個の特徴、示される複数の別個の特徴の組合せ、示されるタガント繊維カウント、タガント繊維カウントの数、及び／又は繊維試料中に含まれる参照繊維の数にマッピングするものであり；そして
この方法は、アクセスした相関データ、並びに示された別個の特徴、示された複数の別個の特徴の組合せ、タガント繊維カウント、タガント繊維カウントの数、及び／又は参照繊維カウントに基づいてサプライチェーンの少なくとも１つの要素を識別することを更に含む、態様Ｃ１３〜Ｃ１５のいずれかの方法。
【０２７０】
[00318]Ｃ２２．繊維試料がセルロースアセテート繊維を含む、態様Ｃ１〜Ｃ２１のいずれかの方法。
[00319]Ｃ２３．繊維試料がセルロースアセテートトウバンドの一部を含む、態様Ｃ１〜Ｃ２２のいずれかの方法。
【０２７１】
[00320]Ｃ２４．繊維試料がフィルターロッド及び／又は紙巻きタバコフィルターの一部を含む、態様Ｃ１〜Ｃ２３のいずれかの方法。
[00321]Ｃ２５．繊維試料が、編織製品、織成布、不織布、及び／又は吸収材製品の一部を含む、態様Ｃ１〜Ｃ２４のいずれかの方法。
【０２７２】
[00322]Ｃ２６．繊維試料に関連するサプライチェーン情報を識別する要請を要請機関(requesting entity)から受け取り；そして
少なくとも１つのサプライチェーン要素を識別する情報を要請機関に送信する；
ことを更に含む、態様Ｃ１〜Ｃ２５のいずれかの方法。
【０２７３】
[00333]Ｃ２７．要請機関が、製造者、取引先、政府機関、法執行機関、及び／又は第三者の要請機関である、態様Ｃ２６の方法。
[00324]Ｃ２８．少なくとも１つのサプライチェーン要素を識別することが、相関データ、示された別個の特徴、示された複数の別個の特徴の組合せ、示されたタガント繊維カウント、及び／又はタガント繊維カウントの数に基づいて複数のサプライチェーン要素を識別することを含み；そして
送信することが、複数のサプライチェーン要素の下位集合を識別する情報を要請機関に送信することを含む、態様Ｃ２６及びＣ２７のいずれかの方法。
【０２７４】
[00325]Ｃ２９．送信することが、製造者を識別する情報を要請機関に送信することを更に含む、態様Ｃ２６〜Ｃ２８のいずれかの方法。
[00326]Ｃ３０．示された別個の特徴、複数の別個の特徴の組合せ、又は確定されたタガント繊維カウントの少なくとも１つの一部を要請機関に送信することを更に含む、態様Ｃ２６〜Ｃ２９のいずれかの方法。
【０２７５】
[00327]Ｃ３１．分析することが、繊維試料を画像技術にかけることを含む、態様Ｃ１〜Ｃ３０のいずれかの方法。
[00328]Ｃ３２．画像技術が、人間の目視検査、顕微鏡検査、電子顕微鏡検査、共焦点顕微鏡検査、ケイ光顕微鏡検査、及び／又は光学スキャンを含む、態様Ｃ３１の方法。
【０２７６】
[00329]Ｃ３３．分析することが、可視光波長及び／又は不可視光波長を有する光に繊維試料を曝露することを更に含む、態様Ｃ３１の方法。
[00330]Ｃ３４．分析することが、画像技術を、繊維試料の繊維の少なくとも１つの長さに対して横方向で繊維試料に対して適用することを更に含む、態様Ｃ３１の方法。
【０２７７】
[00331]Ｃ３５．分析することが、画像技術を、繊維試料の繊維の少なくとも１つの長さに沿って繊維試料に対して適用することを更に含む、態様Ｃ３１の方法。
[00332]Ｃ３６．繊維試料を画像技術にかける前に、繊維試料の繊維を固体マトリクス中に導入することを更に含む、態様Ｃ３１の方法。
【実施例】
【０２７８】
繊維に関する試料調製：実施例１及び２：
[00333]繊維をエーテル溶媒で洗浄して紡糸仕上げ剤を除去し、赤色に染色した。次に、繊維をフレームと交差方向に延伸し、エポキシ樹脂で一緒に封入して封入繊維の剛性ロッドを形成した。繊維のエポキシ樹脂で封入されたロッドを、繊維軸に対して垂直方向に切断して、厚さ３ミクロンの試料を形成した。カバープレートを用いて試料を顕微鏡スライド上に端を上にして配置し、顕微鏡下で観察及び撮影した。
【０２７９】
フィルターロッドに関する試料調製：実施例３〜１６：
[00334]２５ｇのElectron Microscopy Sciences（登録商標）Epo-Fix低粘度樹脂を、３ｇの硬化剤と一緒に混合した。この混合物に、０．５ｍＬの染料混合物（７６０ｍＬのエタノール中の１４ｇのORCO（登録商標）Orcocil Red B染料）を加えた。混合物を、それが均一になるまでゆっくりと撹拌した。１．５ｍＬの微量遠心管に、エポキシ混合物を容量の３／４まで充填した。フィルターロッドから厚さ１０ｍｍの試験片を切り出し、エポキシの頂部上に配置した。フィルターにエポキシを吸収させて、管をトレイ内に配置し、制御実験室環境中において１２時間以下放置して、エポキシ混合物を硬化させて、フィルターロッド試験片に埋め込んだ。管の底部をプライヤーで挟むことによって、試験片を管から取り出した。
【０２８０】
[00335]試験片をバイス内に配置し、ジュエラーズソーを用いて、試験片を、塊状体を研磨するのに好適な寸法に切断した。Allied MultiPrep研磨システムを用いて、次の媒体及び回転速度シーケンスで試験片を研磨した。
【０２８１】
（１）２００ｒｐｍにおいて６００グリットの炭化ケイ素；
（２）１２５ｒｐｍにおいて８００グリットの炭化ケイ素紙；
（３）１００ｒｐｍにおいて６ミクロンのダイヤモンド懸濁液を用いるPan-B研磨マット；
（４）７５ｒｐｍにおいて３ミクロンのダイヤモンド懸濁液を用いるPan-B研磨マット；
（５）５０ｒｐｍにおいて１ミクロンのダイヤモンド懸濁液を用いるPan-B研磨マット；
（６）３０ｒｐｍにおいて０．５ミクロンのダイヤモンド懸濁液を用いるFinal-A研磨マット。
【０２８２】
[00336]ダイヤモンド懸濁液は多結晶質グリコール中であった。それぞれの研磨工程の後、試験片を水ですすぎ、窒素下で乾燥し、複合顕微鏡を用いて視認観察して、従前の工程からの引掻傷が十分に除去されたことを確認した。
【０２８３】
[00337]次の方法を用いて研磨した試験片の画像分析を行った。研磨した試験片をOlympus MZ-130X85電動顕微鏡試料台上に配置した。５倍又は１０倍のいずれかの倍率の設定を行った。BX61 STREAMモーションシステムソフトウエアを開いた。ソフトウエアの"Process Manager"における"Define MIA scanning area with stage"の機能を用いて、研磨した試験片の左上及び右下隅の角部を識別した。ソフトウエアによって示されるようにそれぞれのフレームに焦点を当てて、画像採取プロセスを実行し、データを保存した。ソフトウエアを用いて、全フィルターロッド断面の単一の合成画像を作成することができる。
【０２８４】
実施例１：
[00338]３つの異なるフィラメント寸法を有するセルロースアセテートヤーンを製造した。単一の１９孔の紡糸口金は、３種類の異なる寸法の孔を含んでいた。７つの中間寸法の孔は、紡糸口金孔の総数の３６．８％に相当していた。６つの大きい寸法の孔は中間寸法の孔の面積の１．３２倍であり、紡糸口金孔の３１．６％に相当していた。６つの小さい寸法の孔は中間寸法の孔の面積の０．６７倍であり、紡糸口金孔の３１．６％に相当していた。
【０２８５】
[00339]上記に記載の紡糸口金を用い、アセテートヤーンに関する通常の製造条件でヤーンを製造した。ヤーンの複数のパイルを巻回して、数百本のフィラメントを有する繊維バンドを製造した。繊維の試料は、上記で議論した試料製造法にしたがって調製した。２７５の個々のフィラメント断面の面積を測定した。フィラメント面積を複数のビンにグループ分けして、フィラメント面積分布を作成した。
【０２８６】
[00340]Microsoft EXCELにおけるSolver機能を用いて、測定されたフィラメント面積分布を３つの独立したガウス分布の合計とフィッティングした。３つのスカラーは合計で１．０になるという制約の下に、３つのガウス分布のそれぞれに関して平均、標準偏差、及びスカラー（振幅因子）を求めた。小さい寸法の孔、中間寸法の孔、及び大きい寸法の孔から製造された繊維に関する面積測定値及び統計分析を、表１においてそれぞれ１、２、及び３と表示された欄に与える。２つ１組のｔ−検定によって、３つのガウス分布は９９％の信頼水準で大きく相違することが示された。それぞれのガウス分布に関して、「ｎ」は、対応するスカラー×フィラメントの総数とみなした。この統計分析を表１に示す。
【０２８７】
[00341]これらの結果は、同じ紡糸口金から異なる寸法のフィラメントを製造することができ、これらは所定の画像分析によって大きく異なると認めることができることを示す。
【０２８８】
【表１−２】
2017524075.tif 000004
【０２８９】
実施例２：
[00342]三角形、円形、及び正方形の孔を有する１９孔の紡糸口金を用いてセルロースアセテートヤーンを製造した。図１（ａ）は、繊維の断面形状を示す顕微鏡写真を与える。
【０２９０】
実施例３：
[00343]見かけの３．０フィラメントデニール及び３２，０００の全デニールを有するアセテートトウ物品を製造するために通常用いられているものと同じ孔パターン及び孔寸法を有するタガント紡糸口金を製造した。それぞれのタガント紡糸口金は、２０個の円形の孔及び２０個の正方形の孔を有しており、残りの孔は全て三葉形又は「Ｙ」字形の断面の繊維を製造するために通常用いられている三角形であった。１つのタガント紡糸口金をアセテートトウ製造ライン上に取り付けて、みかけの３．０フィラメントデニール及び３２，０００の全デニールのバンド（これは１１，１６０のフィラメントに対応する）を製造した。タガント断面形状を有する紡糸口金孔の数、及び紡糸口金孔の総数を表２に与える。標準的な製造条件を用いて、トウを製造し、コンディショニングし、梱包した。
【０２９１】
[00344]AF4/KDF4プラグメーカー上で、６００ｍ／ｍのテープ速度でトウからフィルターロッドを製造した。ロッドの長さは１２０ｍｍであった。紙材と接着剤の合計重量は９１ｍｇ／ロッドであり、可塑剤重量は４４ｍｇ／ロッドであった。表３は、それぞれの実施例の３０個のフィルターロッドに関する平均トウ重量、圧力損失、及び円周、並びに標準偏差を示す。図１（ｂ）は、フィルターロッド全体の断面と拡大領域との合成画像を示し；フィルターロッドは実施例３からのアセテートトウを用いて製造した。フィルターロッド中において、４０本のタガント繊維の全部が計数された。
【０２９２】
【表２】
2017524075.tif 000005
【０２９３】
【表３】
2017524075.tif 000006
【０２９４】
実施例４〜１１：
[00345]表２に与えるタガント紡糸口金の数及び対応する孔の数を用いて実施例３を繰り返した。実施例１１においては、タガント紡糸口金は用いなかった。また、実施例４から製造したフィルターロッドにおけるタガント繊維の数も計数し、期待されたタガント繊維の全部が検出された。
【０２９５】
[00346]実施例のそれぞれからのアセテートトウを用いて製造されたフィルターロッドの平均重量、圧力損失、及び円周を表３に与える。９つの実施例のそれぞれに関する平均重量及び圧力損失は総平均の２σの範囲内であった。これは、円形及び正方形の紡糸口金孔を用いて製造した識別繊維を含めることは、測定されたロッド特性に対して統計的に有意な影響を有していなかったことを示す。
【０２９６】
実施例１２：
[00347]１９個の長円形の孔を有する単一の紡糸口金を用いてアセテートヤーン試料を製造した。タガントヤーン試料をパッケージ上に巻回した。ヤーンの試料をそのパッケージから取り外し、捲縮する前にトウバンド中に供給した。セルロースアセテートトウは、みかけの３．０フィラメントデニール及び３２，０００の全デニールを有する通常の商業的な「Ｙ」字形断面のトウ物品であった。
【０２９７】
[00348]トウ物品のために通常用いられているものと同じ製造条件を用いて、タガントヤーンを有するトウ試料を製造し、コンディショニングし、梱包した。AF4/KDF4プラグメーカー上で、６００ｍ／ｍのテープ速度でトウからフィルターロッドを製造した。ロッドの長さは１２０ｍｍであった。紙材と接着剤の合計重量は９１ｍｇ／ロッドであり、可塑剤重量は４４ｍｇ／ロッドであった。
【０２９８】
[00349]上記に記載した分析手順による分析のために、それぞれの実施例からのフィルターロッドの試料を製造した。トウバンド中に含まれていた１９本のタガントフィラメントの全部が、試料中において識別された。
【０２９９】
実施例１３〜１６：
[00350]それぞれ六角形、五角形、「Ｄ」字形、及び円形の紡糸口金孔を用いて実施例１２を繰り返した。実施例１６のヤーンは赤色に染色した。それぞれのトウバンド中に含まれた１９本のタガントフィラメントの全部が、対応するフィルターロッドの試料中において識別された。
【０３００】
[00351]実施例１２〜１６は、異なる断面形状を有するタガントヤーンをトウバンド中に挿入し、フィルターロッド内のタガントヤーンを成功裏に識別する能力を示す。
実施例１７：
[00352]それぞれの多成分繊維が海中に１９の海部を含んでいた４０本のポリプロピレン／ポリプロピレン多成分繊維の２つの組を製造した。第１の組においては、島部のポリプロピレンを青色に染色し、一方、海部のポリプロピレンは染色しなかった。第２の組においては、海部のポリプロピレンを青色に染色し、一方、島部のポリプロピレンは染色しなかった。両方の組のそれぞれの多成分繊維において、島部は容易に計数された。多成分繊維を延伸して寸法を小さくし、アセテートトウを製造するための通常の条件下でアセテートトウバンド中に導入した。
【０３０１】
[00353]多成分繊維を導入したアセテートトウバンドからフィルターロッドを製造した。アセテートトウバンド中及びフィルターロッド中の両方において、多成分繊維が検出され、計数された（４０）。アセテートトウバンド及びフィルターロッドの多成分繊維中の島部を計数する最初の試みは不成功であった。
【０３０２】
[00354]他の態様は、本明細書及びここに開示した複数の態様の実施を考察することによって当業者に明らかになるであろう。開示する態様の精神及び範囲内で変更及び修正を行うことができることが理解される。更に、明細書及び実施例は例示のみとしてみなされ、開示する態様の真の範囲及び精神は特許請求の範囲によって示されることが意図される。
【図１（ａ）】
2017524075.tif 000007
【図１（ｂ）】
2017524075.tif 000008
【図２】
2017524075.tif 000009
【図３（ａ）】
2017524075.tif 000010
【図３（ｂ）】
2017524075.tif 000011
【図４（ａ）】
2017524075.tif 000012
【図４（ｂ）】
2017524075.tif 000013
【図５Ａ】
2017524075.tif 000014
【図５Ｂ】
2017524075.tif 000015
【図６】
2017524075.tif 000016
【図７】
2017524075.tif 000017
【図８】
2017524075.tif 000018
【図９】
2017524075.tif 000019
【図１０】
2017524075.tif 000020
【図１１】
2017524075.tif 000021
【図１２】
2017524075.tif 000022
【図１３】
2017524075.tif 000023
【国際調査報告】
2017524075.tif 000024
2017524075.tif 000025
2017524075.tif 000026